(57)【要約】      （修正有）【課題】暗証番号の覗き見を防止可能かつ高安全性の建物のゲートシステムを提供する。【解決手段】ゲートシステムであって、ドア開閉を制御する電気錠と、室内側の壁に取付けられ、電気錠解錠を制御する退室ボタンと、室外側の壁に取付けられ、電気錠解錠を制御する暗証番号入力器とを含み、電気錠、退室バタンおよび暗証番号入力器はそれぞれゲート制御器に電気的に接続され、暗証番号入力器は、2種類の手段、すなわち赤外線光電センサーおよび気流配合気圧センサーによる非接触式の暗証番号入力操作を実現し、且つ感知通風口における気流の有無、および気流の流れ方向によって入力される暗証番号を動態に調整する構成とした。【選択図】図１
2020076291.tif 000002
【特許請求の範囲】
【請求項１】
ゲートシステムであって、ドア開閉を制御する電気錠と、室内側の壁に取付けられ、電気
錠解錠を制御する退室バタンと、室外側の壁に取付けられ、電気錠解錠を制御する暗証番
号入力器とを含み、前記電気錠、退室バタンおよび暗証番号入力器はそれぞれゲート制御
器に電気的に接続されるゲートシステムであって、
前記暗証番号入力器内に暗証番号入力器の前端面へ通じる１０個の感知経路が設置され、
前記１０個の感知経路はそれぞれ１０個の数字キー「０、１、２、３、４、５、６、７、
８、９」に対応しており、
前記暗証番号入力器内に前記感知経路の後端へ気流を送入する入気ファン、および前記感
知経路の後端から気流を抽出する吸気ファンが設置されており、
前記暗証番号入力器内に一部の前記感知経路内における気流の流れを阻碍するスイッチン
グ弁片、および前記スイッチング弁片を回転させるよう駆動することにより阻碍すべき前
記感知経路を変えるステッピングモータが取り付けられており、
各前記感知経路内にそれぞれ感知経路の前端に指が近づくことを検出する赤外線光電セン
サーが設けられており、
前記暗証番号入力器内に１０個の気圧センサーが取付けられ、各気圧センサーは１個の前
記感知経路内における前端位置寄りの側壁に連通しており、
前記ケース内に情報の入力を提示する発声器が取付けられており、
前記暗証番号入力器による５桁数以上の数字暗証番号の入力が下記の手段に基づくように
構成されており、
１）数字暗証番号所定値の1桁目の数の対応する前記感知経路の前端に指が近づくと、該
位置の感知経路内における赤外線光電センサーが信号を検出し、発声器が声を発し、1桁
目の数字暗証番号の入力完成を提示し、これと同時に入気ファンおよび吸気ファン中の一
つが動作を始める；
２）数字暗証番号所定値の2桁目の数の対応する前記感知経路の前端に指が近くと、該位
置感知経路内における赤外線光電センサーが信号を検出し、発声器が声を発し、2桁目の
数字暗証番号の入力完成を提示する；
３）3桁目の暗証番号の入力値は、数字暗証番号所定値と2桁目の暗証番号の入力時におけ
る対応する感知経路の状態によって決定される；
3.１）上記２）における感知経路の前端に気流が吹き出されたとなる場合、入力されよう
とする3桁目の数字暗証番号の入力値は3桁目の数字暗証番号の所定値に１を加算したもの
と等しくなり、この場合、3桁目の数字暗証番号の所定値が９とした場合、3桁目の暗証番
号の入力値は０とする；
3桁目の数字暗証番号の入力において、3桁目の暗証番号入力値の対応する感知経路に指が
近くと、該感知経路に連通する気圧センサーは気圧所定値に達するまで気圧が増大したこ
とを検出し、かつ該感知経路内における赤外線光電センサーは信号を検出し、発声器が声
を発し、3桁目の数字暗証番号の入力完成を提示する；
3.２）上記２）における感知経路の前端に気流が吹き出さなかったとなる場合、入力され
ようとする3桁目の数字暗証番号の入力値は3桁目の数字暗証番号の所定値と等しくなる；
3桁目の数字暗証番号の入力において、3桁目の暗証番号入力値の対応する感知経路に指が
近くと、該感知経路内における赤外線光電センサーは信号を検出し、発声器が声を発し、
3桁目の数字暗証番号の入力完成を提示する；
3.３）上記２）の感知経路の前端に前から後への負圧気流が存在したとなる場合、入力さ
れようとする3桁目の数字暗証番号の入力値は3桁目の数字暗証番号の所定値から１を減算
したものと等しくなり、この場合、3桁目の数字暗証番号の所定値が０とした場合、3桁目
の暗証番号の入力値は９とする；
3桁目の数字暗証番号の入力において、3桁目の暗証番号入力値の対応する感知経路に指が
近くと、該感知経路に連通する気圧センサーは気圧が負圧所定値より小さくなるまで減少
したことを検出し、かつ該感知経路内における赤外線光電センサーは信号を検出し、発声
器が声を発し、3桁目の数字暗証番号の入力完成を提示する；および
４）以降桁の数字暗証番号入力値は、数字暗証番号所定値と前桁の暗証番号を入力した時
に対応する感知経路の状態によって決定され、その入力規則は上記３）と同じであり、
正しい数字暗証番号が完全に入力された後、ゲート制御器によって電気錠解錠を制御する
ようにできる、
ことを特徴とする前記ゲートシステム。
【請求項２】
請求項１に記載のゲートシステムであって、１〜３桁目の数字暗証番号を入力するたびに
、ステッピングモータが角度ｐにて回転するように構成されており、ただし、角度ｐは３
６°の整数倍であり、且つステッピングモータの回転角度は毎回異なることを特徴とする
前記ゲートシステム。
【請求項３】
請求項１に記載のゲートシステムであって、前記暗証番号入力器は、ケース、および前記
ケースの前側に固定的に接続される前蓋を含み、
前記前蓋全体はその開口を後方に向けて矩形溝体の形状を呈し、前記ケース外の前側壁と
前蓋内の前側壁の間にセンサー取付部が固定的に取付けられており、
前記前蓋の前側壁に矩形配列で配布される感知通風口が成型され、前記前蓋の前側壁にお
ける各感知通風口に対応する位置に各感知通風口の対応する数字暗証番号キーを識別する
ための標識が設けられており、
前記センサー取付部に各感知通風口に対向して設置される通風穴が成型されており、
前記ケース全体はその開口を後方に向けて矩形溝体の形状を呈し、前記ケース内の前側壁
面に円周配列で配布される１０個の第一通気口が成型されており、
前記ケース外の前側壁面に各第一通気口と各通風穴とを連通させる１０個の第一通気溝が
成型されており、
順次に連通する前記感知通風口、通風穴、第一通気溝および第一通気口は一つの前記感知
経路を構成しており、
前記センサー取付部における各通風穴に対応する位置に通風穴の側壁に連通する気圧セン
サー接続穴が成型されており、前記気圧センサーはセンサー取付部内に取付けられ、各気
圧センサーの気圧検出端は各気圧センサーの接続穴に連通しており、
前記赤外線光電センサーは各通風穴内に取付けられ、且つ赤外線光電センサーは感知経路
の前端に向かって構成される、
ことを特徴とする前記ゲートシステム。
【請求項４】
請求項１に記載のゲートシステムであって、前記センサー取付部の後端における各行の通
風穴の下方または上方に配線板取付溝が成型され、配線板取付溝内に配線板が取付けられ
、各前記気圧センサーが配線板に電気的に接続されており、前記配線板の後端とケース外
の前端面が貼合されており、
前記配線板における各通風穴に対応する位置に通風穴へ延伸する光電センサー取付板が成
型され、光電センサー取付板の端部および両側と通風穴の間に弧形の通気隙間が形成され
、前記赤外線光電センサーが光電センサー取付板に電気的に接続され且つ通風穴の中心位
置に位置されており、
各前記赤外線光電センサー、気圧センサー、入気ファン、吸気ファンおよびステッピング
モータはそれぞれゲート制御器電気的に接続されている、
ことを特徴とする前記ゲートシステム。
【請求項５】
請求項３または４に記載のゲートシステムであって、前記ケース内の前側上部に通気パッ
ドが固定的に接続され、通気パッドの前側に各第一通気口に接続される通気チャンパーが
成型されており、
前記ケース内の前側壁面の上部に一つの円溝形の凹口が成型され、各前記第一通気口が前
記凹口の範囲に位置し、且つ各第一通気口が存在する円周と凹口とが同心をなしており、
前記スイッチング弁片が凹口の範囲内に位置し、且つスイッチング弁片に同等数の第一通
気口に同時に連通することができる６〜９個の貫通穴６０１が成型されており、
前記ステッピングモータは通気パッドの後側に固定的に接続され、且つステッピングモー
タの出力軸とスイッチング弁片とが同軸に接続されており、
前記入気ファンおよび吸気ファンがケース内における通気パッドの下端に取り付けられて
おり、前記通気パッドにおける通気チャンパーの下端に入気ファンの出口端に連通する下
入気口、および吸気ファンの入口端に連通する下吸気口が成型されており、
前記通気パッドの下部前側に弁片取付溝が成型され、弁片取付溝内に前記下入気口または
下吸気口を選択的に遮蔽するスライド弁片がスライド可能に取付けられており、
前記スライド弁片にスライド方向に沿って等距離にて複数の被動磁石が固定的に取付けら
れており、
前記通気チャンパー内にステッピングモータにより駆動される一つの被動歯車が回転可能
に取付けられ、前記被動歯車に周方向に等角度にて、被動磁石に配合してスライド弁片を
駆動して左または右に向かって移動させる複数の駆動磁石が取付けられている、
ことを特徴とする前記ゲートシステム。
【請求項６】
請求項５に記載のゲートシステムであって、前記スイッチング弁片の後端に駆動歯車部が
成型され、前記被動歯車と駆動歯車部が噛合され伝動的に接続されており、
前記通気パッドまたはケースに被動歯車と伝動的に接続される歯車取付軸が成型されてお
り、
前記被動歯車の後端に前記駆動磁石を取り付ける磁石取付アームが成型されている、
ことを特徴とする前記ゲートシステム。
【請求項７】
請求項２に記載のゲートシステムであって、前記前蓋の前側壁に長尺状の入出風穴が均一
に成型され、前記ケースの下部に前記入出風穴と入気ファンの入口端とを連通させる入気
経路が成型され、前記ケースの下部に前記入出風穴と吸気ファンの出口端とを連通させる
出気経路が成型されていることを特徴とする前記ゲートシステム。
【請求項８】
請求項１に記載のゲートシステムであって、前記ステッピングモータの毎回回転の角度は
３６×ｔとし、ｔはゲート制御器により生じる擬似乱数であり、且つｔは５〜１６の範囲
内の整数であることを特徴とする前記ゲートシステム。
【請求項９】
請求項１に記載のゲートシステムであって、前記ケースの後側に後蓋が接続され、前記セ
ンサー取付部、ケース、通気パッドおよび後蓋はボルトにより固定的に接続されることを
特徴とする前記ゲートシステム。
【発明の詳細な説明】
【技術分野】
【０００１】
本発明は、建物のゲートシステムの分野に属するもので、具体的には、暗証番号入力の
覗き見による暗証番号の漏洩乃至は失効を防止可能なゲートシステムに関する。
【背景技術】
【０００２】
従来の技術におけるゲートシステムは、基本的に図１に示されるようなものであって、ド
アの開閉を制御するための電気錠と、室内側の壁に取り付けられる電気錠の解錠を制御す
るための退室バタンと、室外側の壁に取り付けられる電気錠の解錠を制御するための暗証
番号入力器とを含み、前記電気錠、退室バタンおよび暗証番号入力器はそれぞれゲート制
御器に電気的に接続されるものである。上記暗証番号入力器は、指紋入力器やカード翳し
装置、顔認識機能付きカメラ等とするものがある。複数個のゲートシステムが備えられる
住宅の場合は、交換機によって各ゲート制御器を１台のコンピュータ（サーバー）に通信
可能に接続しているものがあり、それにおいてコンピュータによって複数個のゲートシス
テムの総合管理を行う。
【０００３】
ところで、文献番号がＣＮ２０５６６５７６０Ｕの中国特許は、手振り解錠のゲートシス
テムを公開した。ケースおよびケースの上面に設置される操作キーボードを含み、前記操
作キーボードとケースとが嵌合されることでケースの内部を封止させる。前記ケース内に
ラッチアップをするためのロック手段およびロック手段の動作を制御するための制御手段
が設けられる。前記ロック手段がケース側に設けられ、前記ケースにおけるロック手段か
ら離れる側に電源が設けられる。前記操作キーボードは非接触式キーボードである。従来
の技術に対して、該考案の利点および効果は、非接触キーボードと制御手段、ロック手段
との協働によってゲートの制御を完璧に達成するとともに、非接触式キーボードと制御手
段との協働によって手振り解錠を達成するうえに、さらに従来のゲートシステムにおける
技術問題を解決し、かつ本実用新案の構成が簡単で、低コストで、広範囲の普及に適合的
である手振り解錠のゲートシステムを提供することにある。
【０００４】
上記文献の提案は非接触式キーボードを使用して、手姿勢による手振り解錠を達成すると
ともに、解錠のときにユーザの指がキーボードに触れる必要がないため衛生上の問題も解
決する。しかし、安全レベルが低く、暗証番号が覗盗されやすく失効になってしまう。
【０００５】
文献番号がＣＮ１０７０９２８３９Ａの中国特許出願はランダム空桁暗証番号による暗証
番号キーボード防盗入力方法を公開した。各種類の暗証番号キーボードに適応し、従来に
おいて暗証番号キーボードが長期間で使用されるとキーボードに暗証番号入力の跡が残さ
れてしまい、暗証番号漏洩になる可能性があるという欠陥ことを克服でき、殆どの暗証番
号キーボードの使用シーンにおける要求を満足できる。該発明の提案は、暗証番号の入力
過程においてランダム的なフォース桁の暗証番号の入力を加えたもので、ランダム的なフ
ォース暗証番号はユーザの暗証番号でない数字を優先に使うこと、ユーザによるランダム
空桁暗証番号の入力過程が進むにつれて、絶えずに暗証番号キーボードにおけるキーの使
用跡を均一化していき、暗証番号入力キーボードが長期間にわたって使用されると残され
る使用跡によって暗証番号の数字組合を露出する可能性をなくす。該発明の提案は、簡単
に実現でき、効果が顕著で、コストが低く、生じ得る経済的利益が大い。
【０００６】
上記文献の提案は、空桁暗証番号を加えて安全性を向上するが、暗証番号が見られてしま
うと、元暗証番号を知らなくても、空桁数字を含む暗証番号を入力すれば解錠を実現でき
るので、実質的な安全性向上が達成されていない。
【発明の概要】
【０００７】
本発明が解決しょうとする技術課題は、従来技術における欠陥に対して、非接触式入力を
提案し、暗証番号の覗き見を防止可能かつ高安全性の建物ゲートシステムを提供すること
である。
【０００８】
本発明は、下記技術的解決により達成される。ゲートシステムであって、ドア開閉を制御
する電気錠と、室内側の壁に取付けられ、電気錠解錠を制御する退室バタンと、室外側の
壁に取付けられ、電気錠解錠を制御する暗証番号入力器とを含み、前記電気錠、退室バタ
ンおよび暗証番号入力器はそれぞれゲート制御器に電気的に接続されるゲートシステムで
あって、
前記暗証番号入力器内に暗証番号入力器の前端面へ通じる１０個の感知経路が設置され、
前記１０個の感知経路はそれぞれ１０個の数字キー「０、１、２、３、４、５、６、７、
８、９」に対応しており、
前記暗証番号入力器内に前記感知経路の後端へ気流を送入する入気ファン、および前記感
知経路の後端から気流を抽出する吸気ファンが設置されており、
前記暗証番号入力器内に一部の前記感知経路内における気流の流れを阻碍するスイッチン
グ弁片、および前記スイッチング弁片を回転させるよう駆動することにより阻碍すべき前
記感知経路を変えるステッピングモータが取り付けられており、
各前記感知経路内にそれぞれ感知経路の前端に指が近づくことを検出する赤外線光電セン
サーが設けられており、
前記暗証番号入力器内に１０個の気圧センサーが取付けられ、各気圧センサーは１個の前
記感知経路内における前端位置寄りの側壁に連通しており、
前記ケース内に情報の入力を提示する発声器が取付けられており、
前記暗証番号入力器による５桁数以上の数字暗証番号の入力が下記の手段に基づくように
構成されており：
１）数字暗証番号所定値の1桁目の数の対応する前記感知経路の前端に指が近づくと、該
位置の感知経路内における赤外線光電センサーが信号を検出し、発声器が声を発し、1桁
目の数字暗証番号の入力完成を提示し、これと同時に入気ファンおよび吸気ファン中の一
つが動作を始める；
２）数字暗証番号所定値の2桁目の数の対応する前記感知経路の前端に指が近くと、該位
置感知経路内における赤外線光電センサーが信号を検出し、発声器が声を発し、2桁目の
数字暗証番号の入力完成を提示する；
３）3桁目の暗証番号の入力値は、数字暗証番号所定値と2桁目の暗証番号の入力時におけ
る対応する感知経路の状態によって決定される；
3.１）上記２）における感知経路の前端に気流が吹き出されたとなる場合、入力されよう
とする3桁目の数字暗証番号の入力値は3桁目の数字暗証番号の所定値に１を加算したもの
と等しくなり、この場合、3桁目の数字暗証番号の所定値が９とした場合、3桁目の暗証番
号の入力値は０とする；
3桁目の数字暗証番号の入力において、3桁目の暗証番号入力値の対応する感知経路に指が
近くと、該感知経路に連通する気圧センサーは気圧所定値に達するまで気圧が増大したこ
とを検出し、かつ該感知経路内における赤外線光電センサーは信号を検出し、発声器が声
を発し、3桁目の数字暗証番号の入力完成を提示する；
3.２）上記２）における感知経路の前端に気流が吹き出さなかったとなる場合、入力され
ようとする3桁目の数字暗証番号の入力値は3桁目の数字暗証番号の所定値と等しくなる；
3桁目の数字暗証番号の入力において、3桁目の暗証番号入力値の対応する感知経路に指が
近くと、該感知経路内における赤外線光電センサーは信号を検出し、発声器が声を発し、
3桁目の数字暗証番号の入力完成を提示する；
3.３）上記２）の感知経路の前端に前から後への負圧気流が存在したとなる場合、入力さ
れようとする3桁目の数字暗証番号の入力値は3桁目の数字暗証番号の所定値から１を減算
したものと等しくなり、この場合、3桁目の数字暗証番号の所定値が０とした場合、3桁目
の暗証番号の入力値は９とする；
3桁目の数字暗証番号の入力において、3桁目の暗証番号入力値の対応する感知経路に指が
近くと、該感知経路に連通する気圧センサーは気圧が負圧所定値より小さくなるまで減少
したことを検出し、かつ該感知経路内における赤外線光電センサーは信号を検出し、発声
器が声を発し、3桁目の数字暗証番号の入力完成を提示する；および
４）以降桁の数字暗証番号入力値は、数字暗証番号所定値と前桁の暗証番号を入力した時
に対応する感知経路の状態によって決定され、その入力規則は上記３）と同じであり、
正しい数字暗証番号が完全に入力された後、ゲート制御器によって電気錠解錠を制御する
ようにできる、
ことを特徴とする前記ゲートシステムである。
好ましくは、ゲートシステムであって、１〜３桁目の数字暗証番号を入力するたびに、ス
テッピングモータが角度ｐにて回転するように構成されており、ただし、角度ｐは３６°
の整数倍であり、且つステッピングモータの回転角度は毎回異なることを特徴とする前記
ゲートシステムである。
【０００９】
好ましくは、ゲートシステムであって、前記暗証番号入力器は、ケース、および前記ケー
スの前側に固定的に接続される前蓋を含み、
前記前蓋全体はその開口を後方に向けて矩形溝体の形状を呈し、前記ケース外の前側壁と
前蓋内の前側壁の間にセンサー取付部が固定的に取付けられており、
前記前蓋の前側壁に矩形配列で配布される感知通風口が成型され、前記前蓋の前側壁にお
ける各感知通風口に対応する位置に各感知通風口の対応する数字暗証番号キーを識別する
ための標識が設けられており、
前記センサー取付部に各感知通風口に対向して設置される通風穴が成型されており、
前記ケース全体はその開口を後方に向けて矩形溝体の形状を呈し、前記ケース内の前側壁
面に円周配列で配布される１０個の第一通気口が成型されており、
前記ケース外の前側壁面に各第一通気口と各通風穴とを連通させる１０個の第一通気溝が
成型されており、
順次に連通する前記感知通風口、通風穴、第一通気溝および第一通気口は一つの前記感知
経路を構成しており、
前記センサー取付部における各通風穴に対応する位置に通風穴の側壁に連通する気圧セン
サー接続穴が成型されており、前記気圧センサーはセンサー取付部内に取付けられ、各気
圧センサーの気圧検出端は各気圧センサーの接続穴に連通しており、
前記赤外線光電センサーは各通風穴内に取付けられ、且つ赤外線光電センサーは感知経路
の前端に向かって構成される、
ことを特徴とする前記ゲートシステムである。
【００１０】
好ましくは、ゲートシステムであって、前記センサー取付部の後端における各行の通風穴
の下方または上方に配線板取付溝が成型され、配線板取付溝内に配線板が取付けられ、各
前記気圧センサーが配線板に電気的に接続されており、前記配線板の後端とケース外の前
端面が貼合されており、
前記配線板における各通風穴に対応する位置に通風穴へ延伸する光電センサー取付板が成
型され、光電センサー取付板の端部および両側と通風穴の間に弧形の通気隙間が形成され
、前記赤外線光電センサーが光電センサー取付板に電気的に接続され且つ通風穴の中心位
置に位置されており、
各前記赤外線光電センサー、気圧センサー、入気ファン、吸気ファンおよびステッピング
モータはそれぞれゲート制御器電気的に接続されている、
ことを特徴とする前記ゲートシステムである。
【００１１】
好ましくは、ゲートシステムであって、前記ケース内の前側上部に通気パッドが固定的に
接続され、通気パッドの前側に各第一通気口に接続される通気チャンパーが成型されてお
り、
前記ケース内の前側壁面の上部に一つの円溝形の凹口が成型され、各前記第一通気口が前
記凹口の範囲に位置し、且つ各第一通気口が存在する円周と凹口とが同心をなしており、
前記スイッチング弁片が凹口の範囲内に位置し、且つスイッチング弁片に同等数の第一通
気口に同時に連通することができる６〜９個の貫通穴６０１が成型されており、
前記ステッピングモータは通気パッドの後側に固定的に接続され、且つステッピングモー
タの出力軸とスイッチング弁片とが同軸に接続されており、
前記入気ファンおよび吸気ファンがケース内における通気パッドの下端に取り付けられて
おり、前記通気パッドにおける通気チャンパーの下端に入気ファンの出口端に連通する下
入気口、および吸気ファンの入口端に連通する下吸気口が成型されており、
前記通気パッドの下部前側に弁片取付溝が成型され、弁片取付溝内に前記下入気口または
下吸気口を選択的に遮蔽するスライド弁片がスライド可能に取付けられており、
前記スライド弁片にスライド方向に沿って等距離にて複数の被動磁石が固定的に取付けら
れており、
前記通気チャンパー内にステッピングモータにより駆動される一つの被動歯車が回転可能
に取付けられ、前記被動歯車に周方向に等角度にて、被動磁石に配合してスライド弁片を
駆動して左または右に向かって移動させる複数の駆動磁石が取付けられている、
ことを特徴とする前記ゲートシステムである。
【００１２】
好ましくは、ゲートシステムであって、前記スイッチング弁片の後端に駆動歯車部が成型
され、前記被動歯車と駆動歯車部が噛合され伝動的に接続されており、
前記通気パッドまたはケースに被動歯車と伝動的に接続される歯車取付軸が成型されてお
り、
前記被動歯車の後端に前記駆動磁石を取り付ける磁石取付アームが成型されている、
ことを特徴とする前記ゲートシステムである。
【００１３】
好ましくは、ゲートシステムであって、前記前蓋の前側壁に長尺状の入出風穴が均一に成
型され、前記ケースの下部に前記入出風穴と入気ファンの入口端とを連通させる入気経路
が成型され、前記ケースの下部に前記入出風穴と吸気ファンの出口端とを連通させる出気
経路が成型されていることを特徴とする前記ゲートシステムである。
【００１４】
好ましくは、ゲートシステムであって、前記ステッピングモータの毎回回転の角度は３６
×ｔとし、ｔはゲート制御器により生じる擬似乱数であり、且つｔは５〜１６の範囲内の
整数であることを特徴とする前記ゲートシステムである。
【００１５】
好ましくは、ゲートシステムであって、前記ケースの後側に後蓋が接続され、前記センサ
ー取付部、ケース、通気パッドおよび後蓋はボルトにより固定的に接続されることを特徴
とする前記ゲートシステムである。
【００１６】
従来の技術に比べて、本発明の有益な効果は、本発明のゲートシステムの暗証番号入力器
は、2種類の手段、すなわち赤外線光電センサーおよび気流配合気圧センサーにより非接
触式の暗証番号入力操作を実現し、且つ感知通風口における気流の有無、および気流の流
れ方向によって入力される暗証番号を動態に調整し、同一の所定暗証番号が毎回入力され
るときにおいて入力値が異なるようにでき、悪意な覗き見による暗証番号漏洩を効果的に
防止でき、操作の難しさを著しく向上させない上に、暗証番号入力器の安全レベルを向上
する。
【００１７】
具体的には、前記暗証番号入力器は以下のように構成される。待機状態において、入気フ
ァンが動作しない。1桁目の数字暗証番号の入力において、赤外線光電センサーにより入
力を実施するもので、それと同時に離心ファンの動作をトリガーする。2桁目の数字暗証
番号の入力において、同じように赤外線光電センサーにより入力を実施するもので、それ
と同時に指で感知通風口では（入気ファンによる）正圧気流、（吸気ファンによる）負圧
気流あるいは気流無しであるかを感じることで、１桁後の数字暗証番号の入力値を判定す
る。3桁目（および以降の他の桁）の暗証番号の入力において、前桁の暗証番号入力で通
風口に正圧気流が吹き出されたと感知した場合、入力される3桁目の数字暗証番号（およ
び以降の他の桁）の入力値は該桁数字暗証番号の所定値に１を加算したものと等しくなり
、前桁の暗証番号入力で通風口に気流が吹き出さなかったと感知した場合、入力される該
桁の暗証番号の入力値は該桁暗証番号の所定値となり、前桁の暗証番号入力で通風口に負
圧気流が存在したと感知した場合、入力される3桁目の数字暗証番号（および以降の他の
桁）の入力値は該桁数字暗証番号の所定値から１を減算したものと等しくなる。
【００１８】
3桁目以降の暗証番号の入力において、対応位置における感知通風口に気流（正圧気流と
負圧気流を含む）が存在する場合、気圧センサーと赤外線光電センサーの両方も信号を受
け取ったとなってから該桁の暗証番号の入力成功を認定する。該暗証番号入力器は非接触
式入力とするため、入力際に指で２個の赤外線光電センサーを同時にトリガーする可能性
が大きい。気圧センサーによって入力を確認することにより誤操作の確率を低減すること
ができる。また、気圧センサーの気圧検出端と通風穴の側壁に接続し連通する気圧センサ
ーの接続穴とが連通されるため、通風穴を気流が流ると、バーヌーイ効果によって通風穴
の側壁に負圧が形成されるようになり、気圧センサーが気圧の減少を検出することにより
どの位置における感知通風口を気流が流るか判断する。これにより、暗証番号入力器が常
規動作状態にあるか否か確認でき、入力暗証番号が所定規則に従って入力されたら、順調
に所定暗証番号と対照することを確保し、解錠を実現する。
【図面の簡単な説明】
【００１９】
【図１】従来技術における一般的なゲートシステムの構成ブロック図。
【図２】本発明における暗証番号入力器の構成模式図。
【図３】本発明における暗証番号入力器の分解構成模式図。
【図４】本発明における暗証番号入力器の分解構成模式図。
【図５】感知経路部分の構成模式図。
【図６】感知経路部分の構成模式図。
【図７】センサー取付部および配線板の一部組立構成模式図。
【図８】センサー取付部および配線板の一部構成模式図。
【図９】ケースおよびケース内に取付けられる各部品の断面構成模式図。
【図１０】ケース前側の構成模式図。
【図１１】ケース後側の構成模式図。
【図１２】通気パッドおよび通気パッドに接続される各部品の構成模式図。
【図１３】通気パッドおよび通気パッドに接続される各部品の構成模式図。
【図１４】通気パッドおよび通気パッドに接続される各部品の分解構成模式図。
【図１５】通気パッドおよび通気パッドに接続される各部品の分解構成模式図。
【発明を実施するための形態】
【００２０】
以下、図面を参考しながら本発明の具体的な実施の形態を詳細に説明する。
【実施例１】
【００２１】
図１から図４に示すように、本実施例にかかるゲートシステムであって、ドア開閉を制御
する電気錠と、室内側の壁に取付けられ、電気錠解錠を制御する退室バタンと、室外側の
壁に取付けられ、電気錠解錠を制御する暗証番号入力器とを含み、前記電気錠、退室バタ
ンおよび暗証番号入力器はそれぞれゲート制御器に電気的に接続される。
【００２２】
前記暗証番号入力器内に暗証番号入力器の前端面へ通じる１０個の感知経路が設置される
。１０個の感知経路はそれぞれ１０個の数字キー「０、１、２、３、４、５、６、７、８
、９」に対応する。
【００２３】
前記暗証番号入力器内に感知経路の後端へ気流を送入する入気ファン８ａ、および感知経
路の後端から気流を抽出する吸気ファン８ｂが設置される。前記入気ファンと吸気ファン
は離心ファンや軸流ファンとする。
【００２４】
前記暗証番号入力器内に一部の感知経路内における気流の流れを阻碍するスイッチング弁
片６、および前記スイッチング弁片を回転させるよう駆動することにより阻碍すべき感知
経路を変えるステッピングモータ６１が取り付けられる。
【００２５】
各前記感知経路内にそれぞれ感知経路の前端に指が近づくことを検出する赤外線光電セン
サー５２が設けられる。
【００２６】
前記暗証番号入力器内に１０個の気圧センサーが取付けられる。各気圧センサーは１個の
前記感知経路内における前端位置寄りの側壁に連通する。
【００２７】
前記ケース内に情報の入力を提示する発声器が取付けられる。前記発生器はブザーやスピ
ーカーとする。
【００２８】
暗証番号入力器による５〜８桁数の数字暗証番号の入力は下記の通りである。
１）数字暗証番号所定値の1桁目の数の対応する感知経路の前端に指が近づくと、該位置
の感知経路内における赤外線光電センサーが信号を検出し、発声器が声を発し、1桁目の
数字暗証番号の入力完成を提示する。これと同時に、入気ファンおよび吸気ファン中の一
つが動作を始める。
【００２９】
２）そして数字暗証番号所定値の2桁目の数の対応する感知経路の前端に指が近くと、該
位置感知経路内における赤外線光電センサーが信号を検出し、発声器が声を発し、2桁目
の数字暗証番号の入力完成を提示する。
【００３０】
３）3桁目の暗証番号の入力値は、数字暗証番号所定値と2桁目の暗証番号の入力時におけ
る対応する感知経路の状態によって決定される。
【００３１】
3.１）上記２）における感知経路の前端に気流が吹き出されたとなる場合、入力されよう
とする3桁目の数字暗証番号の入力値は3桁目の数字暗証番号の所定値に１を加算したもの
と等しくなる。ただし、3桁目の数字暗証番号の所定値が９とした場合、3桁目の暗証番号
の入力値は０とする。
3桁目の数字暗証番号の入力において、3桁目の暗証番号入力値の対応する感知経路に指が
近くと、該感知経路に連通する気圧センサーは気圧所定値に達するまで気圧が増大したこ
とを検出し、かつ該感知経路内における赤外線光電センサーは信号を検出し、発声器が声
を発し、3桁目の数字暗証番号の入力完成を提示する。
【００３２】
3.２）上記２）における感知経路の前端に気流が吹き出さなかったとなる場合、入力され
ようとする3桁目の数字暗証番号の入力値は3桁目の数字暗証番号の所定値と等しくなる。
3桁目の数字暗証番号の入力において、3桁目の暗証番号入力値の対応する感知経路に指が
近くと、該感知経路内における赤外線光電センサーは信号を検出し、発声器が声を発し、
3桁目の数字暗証番号の入力完成を提示する。
【００３３】
3.３）上記２）の感知経路の前端に前から後への負圧気流が存在したとなる場合、入力さ
れようとする3桁目の数字暗証番号の入力値は3桁目の数字暗証番号の所定値から１を減算
したものと等しくなる。ただし、3桁目の数字暗証番号の所定値が０とした場合、3桁目の
暗証番号の入力値は９とする。
3桁目の数字暗証番号の入力において、3桁目の暗証番号入力値の対応する感知経路に指が
近くと、該感知経路に連通する気圧センサーは気圧が負圧所定値より小さくなるまで減少
したことを検出し、かつ該感知経路内における赤外線光電センサーは信号を検出し、発声
器が声を発し、3桁目の数字暗証番号の入力完成を提示する。
【００３４】
４）以降桁の数字暗証番号入力値は、数字暗証番号所定値と前桁の暗証番号を入力した時
に対応する感知経路の状態によって決定される。その入力規則は上記３）と同じである。
【００３５】
正しい数字暗証番号が完全に入力された後、ゲート制御器によって電気錠解錠を制御する
。
【実施例２】
【００３６】
図１から図１５に示すように、本実施例は、実施例１における暗証番号入力器の構成に対
するさらなる詳細なデザインである。具体的には以下の通りである。
１〜３桁目の数字暗証番号を入力するたびに、ステッピングモータが角度ｐにて回転する
。ただし、角度ｐは３６°の整数倍であり、且つステッピングモータの回転角度は毎回異
なる。これによって、スイッチング弁片の位置を変えるたびに、それにつれて気流の流れ
がなかった感知経路がスイッチングされる。
【００３７】
前記暗証番号入力器はケース１、およびケースの前側に固定的に接続される前蓋２を含む
。
前記前蓋２全体はその開口を後方に向けて矩形溝体の形状を呈し、前記ケース外の前側壁
１０１と前蓋内の前側壁の間にセンサー取付部４が固定的に取付けられる。
前記前蓋２の前側壁に矩形配列で配布される感知通風口２２が成型される。前記前蓋の前
側壁における各感知通風口に対応する位置に各感知通風口の対応する数字暗証番号キーを
識別するための標識が設けられる。前記標識は、前蓋に一体成型される上凸または下凹の
アラビア数字としてもよく、数字を印刷してあるシールとしてもよい。
【００３８】
前記センサー取付部４に各感知通風口に対向して設置される通風穴４２が成型される。
【００３９】
前記ケース全体はその開口を後方に向けて矩形溝体の形状を呈し、前記ケース内の前側壁
面１０２に円周配列で配布される１０個の第一通気口１１ａが成型される。
前記ケース外の前側壁面に各第一通気口と各通風穴とを連通させる１０個の第一通気溝１
１が成型される。第一通気口の配列方式と通風穴の（感知通風口による）配列方式とが異
なり、それゆえに第一通気溝は図１０に示すように長短まちまちである形状を呈する。気
圧センサーの所定値設置が容易にできるようにするため、各感知通風口の出風における気
流速度を良好に一致させるよう、各第一通気溝の長度を接近させることが好ましい。
【００４０】
順次に連通する前記感知通風口、通風穴、第一通気溝および第一通気口は一つの前記感知
経路を構成する。
【００４１】
前記センサー取付部における各通風穴に対応する位置に通風穴の側壁に連通する気圧セン
サー接続穴４２１が成型される。前記気圧センサーはセンサー取付部内に取付けられ、各
気圧センサーの気圧検出端は各気圧センサーの接続穴に連通する。
【００４２】
通風穴を気流が流れ、且つ感知通風口が遮蔽されていない場合、感知経路の内壁にバーヌ
ーイ効果により負圧が生じ、気圧センサーが負圧（第一負圧所定値）を検出することによ
り、ゲート制御器はどの感知通風口らが気流を吹き出す状態にあるかを判断できるように
なる。通風穴を正圧気流が流れ、且つ感知通風口が遮蔽されている場合、気圧センサーが
圧力の増大（正圧所定値に達する）を検出する。通風穴を負圧気流が流れ、且つ感知通風
口が遮蔽されている場合、気圧センサーが負圧の絶対値増大（第二負圧所定値に達する）
を検出することにより、ゲート制御器はどの感知通風口らが遮蔽されるか（即ち数字暗証
番号を入力する）かを判断できるようになる。
上述した正圧所定値＞第一負圧所定値＞第二負圧所定値。
【００４３】
ゲート制御器によって気圧センサーの所定圧力値（測定圧力値は正圧所定値より大きく、
または第二負圧所定値の所定圧力値より小さくなる時に、その対応位置に入力信号が存在
すると認定する）または／および入気ファンおよび吸気ファンのパワー（気流速度）を調
整することにより、感知通風口と近づく指の間の距離は１０ｍｍより小さくなると、ゲー
ト制御器は入力信号を受け取り得るように構成される。
【００４４】
特筆すべきのは、一桁の数字暗証番号を入力したら、操作指を手前側に戻らせることが好
ましく、誤入力を防止する。
【００４５】
前記赤外線光電センサーは各通風穴内に取り付けられ、且つ赤外線光電センサーは感知経
路の前端に向かって構成される。
【００４６】
前記センサー取付部の後端における各行の通風穴の下方に配線板取付溝４１が成型される
。配線板取付溝内に配線板が取付けられ、各前記気圧センサーが配線板に電気的に接続さ
れる。前記配線板の後端とケース外の前端面が貼合される。配線板に半田付けポイントが
あるため、配線板の表面は平滑面ではないので、配線板とケース外の前端面およびセンサ
ー取付部との間に密封ゴムが充填されてもよく、これによって気流が配線板とケース外前
端面およびセンサー取付部の間の隙間から漏出し、使用機能に悪影響を与えることを防ぐ
。
【００４７】
前記配線板における各通風穴に対応する位置に通風穴へ延伸する光電センサー取付板５０
１が成型される。光電センサー取付板の端部および両側と通風穴の間に弧形の通気隙間９
１が形成される。前記赤外線光電センサーが光電センサー取付板に電気的に接続され且つ
通風穴の中心位置に位置される。一般的に、赤外線光電センサーは一つの発射管と一つの
受取管を含むもので、上述した赤外線光電センサー（およびその位置）はともに発射管と
受取管の全体を含むものを意味する。センサー取付部の後端における配線板取付溝と通風
穴の間に前記光電センサー取付板を収納する光電センサー取付部４１１が成型される。
【００４８】
各前記気圧センサーおよび赤外線光電センサーは、配線板に半田付けられてから、ワイヤ
を介してゲート制御器に電気的に接続される。前記センサー取付部内にワイヤを通すため
の配線経路が成型される。
【００４９】
各前記赤外線光電センサー、気圧センサー、入気ファン、吸気ファンおよびステッピング
モータはそれぞれゲート制御器に電気的に接続される。ゲート制御器、赤外線光電センサ
ー、気圧センサー、入気ファン等はともに従来技術における常規素子である部品である。
本発明の重点は、各部品を巧みに配合し利用して覗き見防止機能を実現することにあり、
これら電気部品そのものに対し創造的な改造をしなく、必要によって当業者が容易に実現
できるものであって、その具体的な回路やプログラマ等の詳細な説明を略する。
【００５０】
前記ケース内の前側上部に通気パッド７が固定的に接続され、通気パッドの前側に各第一
通気口に接続される通気チャンパー７１が成型される。
【００５１】
前記ケース内の前側壁面の上部に一つの円溝形の凹口１５が成型される。各前記第一通気
口が前記凹口の範囲に位置し、且つ各第一通気口が存在する円周と凹口とが同心をなす。
前記スイッチング弁片が凹口の範囲内に位置し、且つスイッチング弁片６に同等数の第一
通気口に連通することができる６〜９個の貫通穴６０１が成型される。
【００５２】
前記ステッピングモータは通気パッドの後側に固定的に接続され、且つステッピングモー
タの出力軸とスイッチング弁片とが同軸に接続される。
【００５３】
前記入気ファンおよび吸気ファンがケース内における通気パッドの下端に取り付けられる
。前記通気パッドにおける通気チャンパーの下端に入気ファンの出口端に連通する下入気
口７２、および吸気ファンの入口端に連通する下吸気口７４が成型される。
【００５４】
前記通気パッドの下部前側に弁片取付溝７６が成型され、弁片取付溝内に前記下入気口ま
たは下吸気口を選択的に遮蔽するスライド弁片７３がスライド可能に取付けられる。前記
弁片取付溝の開口がケース側に向かって構成される。通気パッドとケースを互いに固定す
ると、弁片はスライドされば弁片取付溝内に制限されようになり、脱出できなくなる。
【００５５】
前記スライド弁片７３にスライド方向に沿って等距離にて複数の被動磁石７３１が固定的
に取付けられる。
【００５６】
前記通気チャンパー内にステッピングモータにより駆動される一つの被動歯車６２が回転
可能に取付けられる。前記被動歯車に周方向に等角度にて、被動磁石に配合してスライド
弁片を駆動して左または右に向かって移動させる複数の駆動磁石６２１が取付けられる。
【００５７】
前記スイッチング弁片全体は円形ディスク状を呈し、スイッチング弁片の後端に駆動歯車
部６０２が成型され、前記被動歯車と駆動歯車部が噛合され伝動的に接続される。
【００５８】
前記通気パッドに、水平に設置されかつ被動歯車と伝動的に接続される歯車取付軸７５が
成型される。
【００５９】
前記被動歯車の後端に前記駆動磁石を取り付ける磁石取付アーム６２２が成型される。
【００６０】
前記ステッピングモータの毎回回転の角度は３６×ｔとし、ｔはゲート制御器により生じ
る擬似乱数であり、且つｔは５〜１６の範囲内の整数である。
【００６１】
前記磁石取付アーム（および駆動磁石）の設置密度が小さく、これにより磁石取付アーム
が通気チャンパー内の気流の流れに大きな影響を与えないようにできる。スライド弁片の
位置をスイッチングする時に、ステッピングモータを駆動して大きい角度で回転させるこ
とにより、スライド弁片を所定位置までスイッチングすることができる。例えば一般的な
場合では、ステッピングモータが１０８°（３６×３）回転すればスライド弁片のスイッ
チングが完成できるが、スライド弁片のスイッチングミスがないように、ステッピングモ
ータの毎回回転角度を少なくとも回転１８０°（３６×５）とする。
【００６２】
特筆すべきのは、スイッチング弁片が回転し、かつ気流の流れ方向が変化しない場合、ス
テッピングモータの回転方向は前回の回転方向に続いて回転する。一方、スイッチング弁
片が回転し、且つ気流の流れ方向も変化する場合、ステッピングモータの回転方向は前回
の回転方向と反対となる。
【００６３】
前記前蓋の前側壁に長尺状の入出風穴２１が均一に成型される。前記ケースの下部に前記
入出風穴と入気ファンの入口端とを連通させる入気経路１３が成型される。前記ケースの
下部に前記入出風穴と吸気ファンの出口端とを連通させる出気経路１４が成型される。
【００６４】
前記ケースの後側に後蓋３が接続される。前記センサー取付部、ケース、通気パッドおよ
び後蓋はボルトにより固定的に接続される。前記前蓋の側面がネジによりケースの側面に
接続される。
【００６５】
以下、例を挙げて本発明の動作原理をさらに説明する。
暗証番号を１２３７６５とする。該スイッチング弁片の位置によって数字１、２、５、６
、９、０の対応する感知通風口と通気チャンパーとを連通させ、数字３、４、７、８の対
応する感知通風口と通気チャンパーとを連通させない。そして、３桁の数字暗証番号を入
力すると、ステッピングモータが前回と反対方向に３６０°回転する（即ち、通気チャン
パーに連通する感知通風口は改変されない）。ステッピングモータが反転する前は、入気
ファンが動作するが、ステッピングモータが反転する後は、吸気ファンが動作しない。
【００６６】
暗証番号入力器により電気錠を解錠する際に、数字１の対応する感知通風口に指を近づか
せると、ブザーが一声鳴らし、1桁目の暗証番号の入力完成を提示する。これと同時に、
入気ファンが作動を起動する。
そして、数字２の対応する感知通風口に指を近づかせると、ブザーが一声鳴らし、2桁目
の暗証番号の入力完成を提示する。
そして、数字２の対応する感知通風口に気流が吹き出されたとなるため、数字４（３＋１
）の対応する感知通風口に指を近づかせると、ブザーが一声鳴らし、3桁目の暗証番号の
入力完成を提示する。
そして、数字４の対応する感知通風口に気流が吹き出されなかったとなるため、数字７の
対応する感知通風口に指を近づかせると、ブザーが一声鳴らし、４桁目の暗証番号の入力
完成を提示する。
そして、数字７の対応する感知通風口に気流が吹き出されなかったとなるため、数字６の
対応する感知通風口に指を近づかせると、ブザーが一声鳴らし、７桁目の暗証番号の入力
完成を提示する。
そして、数字６の対応する感知通風口に負圧気流が存在するとなるため、再び数字４（５
−１）の対応する感知通風口に指を近づかせると、ブザーが一声鳴らし、６桁目の暗証番
号の入力完成を提示する。
【００６７】
これによれば、この場合、所定暗証番号は１２３７６５であり、実際に入力された暗証番
号は１２４７６４となる。
【００６８】
電気錠を解錠した後は、ステッピングモータによりスイッチング弁片を制御して同じ方向
に続いて２８８°（３６×８）回転したとする。これによって、数字２、３、６、７、０
、１の対応する感知通風口と通気チャンパーとを連通させ、数字４、５、８、９の対応す
る感知通風口と通気チャンパーとを連通させない（どの感知通風口らが出気となるのが第
一通気溝の配列、スイッチング弁片通穴の位置、およびステッピングモータ回転の角度に
より決定される。ここで所記の数値は、容易に理解させるためのものとし、図面に示され
る構成とは厳しく一致しない）。そして、３桁の数字暗証番号を入力すると、ステッピン
グモータが前回と反対方向に３６０°回転する（即ち、通気チャンパーに連通する感知通
風口は改変されない）。ステッピングモータが反転する前は、吸気ファンが動作するが、
ステッピングモータが反転する後は、入気ファンが動作しない。
【００６９】
再び暗証番号入力器により電気錠を解錠する際に、数字１の対応する感知通風口に指を近
づかせると、ブザーが一声鳴らし、1桁目の暗証番号の入力完成を提示する。これと同時
に入気ファンが動作を起動する。
そして、数字２の対応する感知通風口に指を近づかせると、ブザーが一声鳴らし、2桁目
の暗証番号の入力完成を提示する。
そして、数字２の対応する感知通風口に負圧気流が存在したとなるため、数字２（３−１
）の対応する感知通風口に指を近づかせると、ブザーが一声鳴らし、3桁目の暗証番号の
入力完成を提示する。
そして、数字２の対応する感知通風口に正圧気流が存在したとなるため、数字８（７＋１
）の対応する感知通風口に指を近づかせると、ブザーが一声鳴らし、４桁目の暗証番号の
入力完成を提示する。
そして、数字８の対応する感知通風口に気流がなかったとなるため、再び数字６の対応す
る感知通風口に指を近づかせると、ブザーが一声鳴らし、５桁目の暗証番号の入力完成を
提示する。
そして、数字６の対応する感知通風口に正圧気流が吹き出されたとなるため、再び数字６
（５＋１）の対応する感知通風口に指を近づかせると、ブザーが一声鳴らし、６桁目の暗
証番号の入力完成を提示する。
【００７０】
これによれば、この場合は、暗証番号を１２３７６５とし、実際に入力された暗証番号は
１２２８６６となる。
【００７１】
以上の例からわかるように、ある所定暗証番号は、異なる解錠操作において、入力される
具体的な値が異なる。このように構成されると、ユーザの暗証番号入力過程を周りの人が
意図的に覗くとしても、ユーザの所定暗証番号を知られてしまうことにならなく、高安全
レベルを達する。
【００７２】
特筆すべきのは、前記感知通風口から吹出または吸入の気流の速度がユーザの指が近くと
はっきりとした音が発生しないように構成されなければならない。
【００７３】
本発明のゲートシステムの暗証番号入力器は、2種類の手段、すなわち赤外線光電センサ
ーおよび気流配合気圧センサーにより非接触式の暗証番号入力操作を実現し、且つ感知通
風口における気流の有無、および気流の流れ方向によって入力される暗証番号を動態に調
整し、同一の所定暗証番号が毎回入力されるときにおいて入力値が異なるようにでき、悪
意な覗き見による暗証番号漏洩を効果的に防止でき、操作の難しさを著しく向上させない
上に、暗証番号入力器の安全レベルを向上する。
【００７４】
具体的には、前記暗証番号入力器は以下のように構成される。待機状態において、入気フ
ァンが動作しない。1桁目の数字暗証番号の入力において、赤外線光電センサーにより入
力を実施するもので、それと同時に離心ファンの動作をトリガーする。2桁目の数字暗証
番号の入力において、同じように赤外線光電センサーにより入力を実施するもので、それ
と同時に指で感知通風口では（入気ファンによる）正圧気流、（吸気ファンによる）負圧
気流あるいは気流無しであるかを感じることで、１桁後の数字暗証番号の入力値を判定す
る。3桁目（および以降の他の桁）の暗証番号の入力において、前桁の暗証番号入力で通
風口に正圧気流が吹き出されたと感知した場合、入力される3桁目の数字暗証番号（およ
び以降の他の桁）の入力値は該桁数字暗証番号の所定値に１を加算したものと等しくなり
、前桁の暗証番号入力で通風口に気流が吹き出さなかったと感知した場合、入力される該
桁の暗証番号の入力値は該桁暗証番号の所定値となり、前桁の暗証番号入力で通風口に負
圧気流が存在したと感知した場合、入力される3桁目の数字暗証番号（および以降の他の
桁）の入力値は該桁数字暗証番号の所定値から１を減算したものと等しくなる。
【００７５】
3桁目以降の暗証番号の入力において、対応位置における感知通風口に気流（正圧気流と
負圧気流を含む）が存在する場合、気圧センサーと赤外線光電センサーの両方も信号を受
け取ったとなってから該桁の暗証番号の入力成功を認定する。該暗証番号入力器は非接触
式入力とするため、入力際に指で２個の赤外線光電センサーを同時にトリガーする可能性
が大きい。気圧センサーによって入力を確認することにより誤操作の確率を低減すること
ができる。また、気圧センサーの気圧検出端と通風穴の側壁に接続し連通する気圧センサ
ーの接続穴とが連通されるため、通風穴を気流が流ると、バーヌーイ効果によって通風穴
の側壁に負圧が形成されるようになり、気圧センサーが気圧の減少を検出することにより
どの位置における感知通風口を気流が流るか判断する。これにより、暗証番号入力器が常
規動作状態にあるか否か確認でき、入力暗証番号が所定規則に従って入力されたら、順調
に所定暗証番号と対照することを確保し、解錠を実現する。
【００７６】
前記ケース内の前側壁における第一通気口の下方に通気チャンパーに連通する３個の第二
通気口１２ａが成型される。前記ケース外の前側壁に各第二通気口にそれぞれ連通する３
個の第二通気溝１２が成型される。３個の第二通気溝はそれぞれ「＊」キー、「＃」キー
およびベルキーに対応する。相応的に、センサー取付部に３個の通風穴が設けられ、３個
の感知経路を形成する。また、該３個の推しキーの感知経路内に赤外線光電センサーまた
は気圧センサーの何れか一つを取り付けてもよく、両方ともを取り付けてもよい。
【００７７】
「＊」キーは所定暗証番号を入力する時に用いられるものとすればよく、「＃」キーは暗
証番号入力が誤ったと分かった時にゼロクリア操作に用いられ、繰り返して正しい暗証番
号を入力するものとすればよい。いずれも本分野の従来技術であり、詳しく紹介しない。
【実施例３】
【００７８】
本実施例は、実施例１または２に対して以下の改造をしたものである。前記ゲート制御器
はモニタカメラに接続される。前記暗証番号入力器がモニタカメラのモニタ領域内に位置
される。モニタ領域内における人数が１より大きいとモニタカメラが撮取した場合、実施
例２の形態に従って暗証番号を入力することにする。モニタ領域内における人数が１と等
しいとモニタカメラがが撮取した場合、入力暗証番号は所定暗証番号に一致するものとし
、1桁目の暗証番号を入力してから、入気ファンと吸気ファンは何れも起動しない。
【００７９】
前記暗証番号入力器内に音声提示モジュールが取付けられてもよい。モニタ領域内におけ
る人数が１より大きいとモニタカメラが撮取した場合、「動態な暗証番号を入力してくだ
さい。」を提示する。モニタ領域内における人数が１と等しいとモニタカメラがが撮取し
た場合、「所定暗証番号を入力してください。」を提示する。
【００８０】
本実施例の改造によって、暗証番号の覗き見の恐れがない場合、所定暗証番号により電気
錠を解錠することができ、暗証番号の入力方式を簡単化し、覗き見の恐れがある場合、実
施例１または２にかかる高安全性の入力方式を使用する。
【符号の説明】
【００８１】
１  ケース
１１  第一通気溝
１１ａ  第一通気口
１２  第二通気溝
１２ａ  第二通気口
１３  入気経路
１４  出気経路
１５  凹口
２  前蓋  
２１  入出風穴
２２  感知通風口  
３  後蓋
４  センサー取付部  
４１  配線板取付溝  
４１１  光電センサー取付部  
４２  通風穴  
４２１  気圧センサー接続穴
５  配線板  
５０１  光電センサー取付板  
５１  気圧センサー  
５２  赤外線光電センサー
６  スイッチング弁片  
６０１  貫通穴  
６０２  駆動歯車部  
６１  ステッピングモータ  
６２  被動歯車  
６２１  駆動磁石  
６２２  磁石取付アーム
７  通気パッド  
７１  通気チャンパー
７２  下入気口  
７３  スライド弁片  
７３１  被動磁石  
７４  下吸気口  
７５  歯車取付軸  
７６  弁片取付溝
８ａ  入気ファン  
８ｂ  吸気ファン
【図１】
2020076291.tif 000003
【図２】
2020076291.tif 000004
【図３】
2020076291.tif 000005
【図４】
2020076291.tif 000006
【図５】
2020076291.tif 000007
【図６】
2020076291.tif 000008
【図７】
2020076291.tif 000009
【図８】
2020076291.tif 000010
【図９】
2020076291.tif 000011
【図１０】
2020076291.tif 000012
【図１１】
2020076291.tif 000013
【図１２】
2020076291.tif 000014
【図１３】
2020076291.tif 000015
【図１４】
2020076291.tif 000016
【図１５】
2020076291.tif 000017
【手続補正書】
【提出日】令和1年11月21日(2019.11.21)
【手続補正１】
【補正対象書類名】明細書
【補正対象項目名】全文
【補正方法】変更
【補正の内容】
【発明の詳細な説明】
【技術分野】
【０００１】
本発明は、建物のゲートシステムの分野に属するもので、具体的には、暗証番号入力の
覗き見による暗証番号の漏洩乃至は失効を防止可能なゲートシステムに関する。
【背景技術】
【０００２】
従来の技術におけるゲートシステムは、基本的に図１に示されるようなものであって、ド
アの開閉を制御するための電気錠と、室内側の壁に取り付けられる電気錠の解錠を制御す
るための退室ボタンと、室外側の壁に取り付けられる電気錠の解錠を制御するための暗証
番号入力器とを含み、前記電気錠、退室ボタンおよび暗証番号入力器はそれぞれゲート制
御器に電気的に接続されるものである。上記暗証番号入力器は、指紋入力器やカード翳し
装置、顔認識機能付きカメラ等とするものがある。複数個のゲートシステムが備えられる
住宅の場合は、交換機によって各ゲート制御器を１台のコンピュータ（サーバー）に通信
可能に接続しているものがあり、それにおいてコンピュータによって複数個のゲートシス
テムの総合管理を行う。
【０００３】
ところで、文献番号がＣＮ２０５６６５７６０Ｕの中国特許は、手振り解錠のゲートシス
テムを公開した。ケースおよびケースの上面に設置される操作キーボードを含み、前記操
作キーボードとケースとが嵌合されることでケースの内部を封止させる。前記ケース内に
ラッチアップをするためのロック手段およびロック手段の動作を制御するための制御手段
が設けられる。前記ロック手段がケース側に設けられ、前記ケースにおけるロック手段か
ら離れる側に電源が設けられる。前記操作キーボードは非接触式キーボードである。従来
の技術に対して、該考案の利点および効果は、非接触キーボードと制御手段、ロック手段
との協働によってゲートの制御を完璧に達成するとともに、非接触式キーボードと制御手
段との協働によって手振り解錠を達成するうえに、さらに従来のゲートシステムにおける
技術問題を解決し、かつ本実用新案の構成が簡単で、低コストで、広範囲の普及に適合的
である手振り解錠のゲートシステムを提供することにある。
【０００４】
上記文献の提案は非接触式キーボードを使用して、手姿勢による手振り解錠を達成すると
ともに、解錠のときにユーザの指がキーボードに触れる必要がないため衛生上の問題も解
決する。しかし、安全レベルが低く、暗証番号が覗盗されやすく失効になってしまう。
【０００５】
文献番号がＣＮ１０７０９２８３９Ａの中国特許出願はランダム空桁暗証番号による暗証
番号キーボード防盗入力方法を公開した。各種類の暗証番号キーボードに適応し、従来に
おいて暗証番号キーボードが長期間で使用されるとキーボードに暗証番号入力の跡が残さ
れてしまい、暗証番号漏洩になる可能性があるという欠陥を克服でき、殆どの暗証番号キ
ーボードの使用シーンにおける要求を満足できる。該発明の提案は、暗証番号の入力過程
においてランダム的なフォース桁の暗証番号の入力を加えたもので、ランダム的なフォー
ス暗証番号はユーザの暗証番号でない数字を優先に使うこと、ユーザによるランダム空桁
暗証番号の入力過程が進むにつれて、絶えずに暗証番号キーボードにおけるキーの使用跡
を均一化していき、暗証番号入力キーボードが長期間にわたって使用されると残される使
用跡によって暗証番号の数字組合を露出する可能性をなくす。該発明の提案は、簡単に実
現でき、効果が顕著で、コストが低く、生じ得る経済的利益が大きい。
【０００６】
上記文献の提案は、空桁暗証番号を加えて安全性を向上するが、暗証番号が見られてしま
うと、元暗証番号を知らなくても、空桁数字を含む暗証番号を入力すれば解錠を実現でき
るので、実質的な安全性向上が達成されていない。
【発明の概要】
【０００７】
本発明が解決しようとする技術課題は、従来技術における欠陥に対して、非接触式入力を
提案し、暗証番号の覗き見を防止可能かつ高安全性の建物ゲートシステムを提供すること
である。
【０００８】
本発明は、下記技術的解決により達成される。ゲートシステムであって、ドア開閉を制御
する電気錠と、室内側の壁に取付けられ、電気錠解錠を制御する退室ボタンと、室外側の
壁に取付けられ、電気錠解錠を制御する暗証番号入力器とを含み、前記電気錠、退室ボタ
ンおよび暗証番号入力器はそれぞれゲート制御器に電気的に接続されるゲートシステムで
あって、
前記暗証番号入力器内に暗証番号入力器の前端面へ通じる１０個の感知経路が設置され、
前記１０個の感知経路はそれぞれ１０個の数字キー「０、１、２、３、４、５、６、７、
８、９」に対応しており、
前記暗証番号入力器内に前記感知経路の後端へ気流を送入する入気ファン、および前記感
知経路の後端から気流を抽出する吸気ファンが設置されており、
前記暗証番号入力器内に一部の前記感知経路内における気流の流れを阻碍するスイッチン
グ弁片、および前記スイッチング弁片を回転させるよう駆動することにより阻碍すべき前
記感知経路を変えるステッピングモータが取り付けられており、
各前記感知経路内にそれぞれ感知経路の前端に指が近づくことを検出する赤外線光電セン
サーが設けられており、
前記暗証番号入力器内に１０個の気圧センサーが取付けられ、各気圧センサーは１個の前
記感知経路内における前端位置寄りの側壁に連通しており、
前記ケース内に情報の入力を提示する発声器が取付けられており、
前記暗証番号入力器による５桁数以上の数字暗証番号の入力が下記の手段に基づくように
構成されており：
１）数字暗証番号所定値の1桁目の数の対応する前記感知経路の前端に指が近づくと、該
位置の感知経路内における赤外線光電センサーが信号を検出し、発声器が声を発し、1桁
目の数字暗証番号の入力完成を提示し、これと同時に入気ファンおよび吸気ファン中の一
つが動作を始める；
２）数字暗証番号所定値の2桁目の数の対応する前記感知経路の前端に指が近くと、該位
置感知経路内における赤外線光電センサーが信号を検出し、発声器が声を発し、2桁目の
数字暗証番号の入力完成を提示する；
３）3桁目の暗証番号の入力値は、数字暗証番号所定値と2桁目の暗証番号の入力時におけ
る対応する感知経路の状態によって決定される；
3.１）上記２）における感知経路の前端に気流が吹き出されたとなる場合、入力されよう
とする3桁目の数字暗証番号の入力値は3桁目の数字暗証番号の所定値に１を加算したもの
と等しくなり、この場合、3桁目の数字暗証番号の所定値が９とした場合、3桁目の暗証番
号の入力値は０とする；
3桁目の数字暗証番号の入力において、3桁目の暗証番号入力値の対応する感知経路に指が
近くと、該感知経路に連通する気圧センサーは気圧所定値に達するまで気圧が増大したこ
とを検出し、かつ該感知経路内における赤外線光電センサーは信号を検出し、発声器が声
を発し、3桁目の数字暗証番号の入力完成を提示する；
3.２）上記２）における感知経路の前端に気流が吹き出さなかったとなる場合、入力され
ようとする3桁目の数字暗証番号の入力値は3桁目の数字暗証番号の所定値と等しくなる；
3桁目の数字暗証番号の入力において、3桁目の暗証番号入力値の対応する感知経路に指が
近くと、該感知経路内における赤外線光電センサーは信号を検出し、発声器が声を発し、
3桁目の数字暗証番号の入力完成を提示する；
3.３）上記２）の感知経路の前端に前から後への負圧気流が存在したとなる場合、入力さ
れようとする3桁目の数字暗証番号の入力値は3桁目の数字暗証番号の所定値から１を減算
したものと等しくなり、この場合、3桁目の数字暗証番号の所定値が０とした場合、3桁目
の暗証番号の入力値は９とする；
3桁目の数字暗証番号の入力において、3桁目の暗証番号入力値の対応する感知経路に指が
近くと、該感知経路に連通する気圧センサーは気圧が負圧所定値より小さくなるまで減少
したことを検出し、かつ該感知経路内における赤外線光電センサーは信号を検出し、発声
器が声を発し、3桁目の数字暗証番号の入力完成を提示する；および
４）以降桁の数字暗証番号入力値は、数字暗証番号所定値と前桁の暗証番号を入力した時
に対応する感知経路の状態によって決定され、その入力規則は上記３）と同じであり、
正しい数字暗証番号が完全に入力された後、ゲート制御器によって電気錠解錠を制御する
ようにできる、
ことを特徴とする前記ゲートシステムである。
好ましくは、ゲートシステムであって、１〜３桁目の数字暗証番号を入力するたびに、ス
テッピングモータが角度ｐにて回転するように構成されており、ただし、角度ｐは３６°
の整数倍であり、且つステッピングモータの回転角度は毎回異なることを特徴とする前記
ゲートシステムである。
【０００９】
好ましくは、ゲートシステムであって、前記暗証番号入力器は、ケース、および前記ケー
スの前側に固定的に接続される前蓋を含み、
前記前蓋全体はその開口を後方に向けて矩形溝体の形状を呈し、前記ケース外の前側壁と
前蓋内の前側壁の間にセンサー取付部が固定的に取付けられており、
前記前蓋の前側壁に矩形配列で配布される感知通風口が成型され、前記前蓋の前側壁にお
ける各感知通風口に対応する位置に各感知通風口の対応する数字暗証番号キーを識別する
ための標識が設けられており、
前記センサー取付部に各感知通風口に対向して設置される通風穴が成型されており、
前記ケース全体はその開口を後方に向けて矩形溝体の形状を呈し、前記ケース内の前側壁
面に円周配列で配布される１０個の第一通気口が成型されており、
前記ケース外の前側壁面に各第一通気口と各通風穴とを連通させる１０個の第一通気溝が
成型されており、
順次に連通する前記感知通風口、通風穴、第一通気溝および第一通気口は一つの前記感知
経路を構成しており、
前記センサー取付部における各通風穴に対応する位置に通風穴の側壁に連通する気圧セン
サー接続穴が成型されており、前記気圧センサーはセンサー取付部内に取付けられ、各気
圧センサーの気圧検出端は各気圧センサーの接続穴に連通しており、
前記赤外線光電センサーは各通風穴内に取付けられ、且つ赤外線光電センサーは感知経路
の前端に向かって構成される、
ことを特徴とする前記ゲートシステムである。
【００１０】
好ましくは、ゲートシステムであって、前記センサー取付部の後端における各行の通風穴
の下方または上方に配線板取付溝が成型され、配線板取付溝内に配線板が取付けられ、各
前記気圧センサーが配線板に電気的に接続されており、前記配線板の後端とケース外の前
端面が貼合されており、
前記配線板における各通風穴に対応する位置に通風穴へ延伸する光電センサー取付板が成
型され、光電センサー取付板の端部および両側と通風穴の間に弧形の通気隙間が形成され
、前記赤外線光電センサーが光電センサー取付板に電気的に接続され且つ通風穴の中心位
置に位置されており、
各前記赤外線光電センサー、気圧センサー、入気ファン、吸気ファンおよびステッピング
モータはそれぞれゲート制御器に電気的に接続されている、
ことを特徴とする前記ゲートシステムである。
【００１１】
好ましくは、ゲートシステムであって、前記ケース内の前側上部に通気パッドが固定的に
接続され、通気パッドの前側に各第一通気口に接続される通気チャンパーが成型されてお
り、
前記ケース内の前側壁面の上部に一つの円溝形の凹口が成型され、各前記第一通気口が前
記凹口の範囲に位置し、且つ各第一通気口が存在する円周と凹口とが同心をなしており、
前記スイッチング弁片が凹口の範囲内に位置し、且つスイッチング弁片に同等数の第一通
気口に同時に連通することができる６〜９個の貫通穴６０１が成型されており、
前記ステッピングモータは通気パッドの後側に固定的に接続され、且つステッピングモー
タの出力軸とスイッチング弁片とが同軸に接続されており、
前記入気ファンおよび吸気ファンがケース内における通気パッドの下端に取り付けられて
おり、前記通気パッドにおける通気チャンパーの下端に入気ファンの出口端に連通する下
入気口、および吸気ファンの入口端に連通する下吸気口が成型されており、
前記通気パッドの下部前側に弁片取付溝が成型され、弁片取付溝内に前記下入気口または
下吸気口を選択的に遮蔽するスライド弁片がスライド可能に取付けられており、
前記スライド弁片にスライド方向に沿って等距離にて複数の被動磁石が固定的に取付けら
れており、
前記通気チャンパー内にステッピングモータにより駆動される一つの被動歯車が回転可能
に取付けられ、前記被動歯車に周方向に等角度にて、スライド弁片を駆動して左または右
に向かって移動させる複数の駆動磁石が取付けられている、
ことを特徴とする前記ゲートシステムである。
【００１２】
好ましくは、ゲートシステムであって、前記スイッチング弁片の後端に駆動歯車部が成型
され、前記被動歯車と駆動歯車部が噛合され伝動的に接続されており、
前記通気パッドまたはケースに被動歯車と伝動的に接続される歯車取付軸が成型されてお
り、
前記被動歯車の後端に前記駆動磁石を取り付ける磁石取付アームが成型されている、
ことを特徴とする前記ゲートシステムである。
【００１３】
好ましくは、ゲートシステムであって、前記前蓋の前側壁に長尺状の入出風穴が均一に成
型され、前記ケースの下部に前記入出風穴と入気ファンの入口端とを連通させる入気経路
が成型され、前記ケースの下部に前記入出風穴と吸気ファンの出口端とを連通させる出気
経路が成型されていることを特徴とする前記ゲートシステムである。
【００１４】
好ましくは、ゲートシステムであって、前記ステッピングモータの毎回回転の角度は３６
×ｔとし、ｔはゲート制御器により生じる擬似乱数であり、且つｔは５〜１６の範囲内の
整数であることを特徴とする前記ゲートシステムである。
【００１５】
好ましくは、ゲートシステムであって、前記ケースの後側に後蓋が接続され、前記センサ
ー取付部、ケース、通気パッドおよび後蓋はボルトにより固定的に接続されることを特徴
とする前記ゲートシステムである。
【００１６】
従来の技術に比べて、本発明の有益な効果は、本発明のゲートシステムの暗証番号入力器
は、2種類の手段、すなわち赤外線光電センサーおよび気流配合気圧センサーにより非接
触式の暗証番号入力操作を実現し、且つ感知通風口における気流の有無、および気流の流
れ方向によって入力される暗証番号を動態に調整し、同一の所定暗証番号が毎回入力され
るときにおいて入力値が異なるようにでき、悪意な覗き見による暗証番号漏洩を効果的に
防止でき、操作の難しさを著しく向上させない上に、暗証番号入力器の安全レベルを向上
する。
【００１７】
具体的には、前記暗証番号入力器は以下のように構成される。待機状態において、入気フ
ァンが動作しない。1桁目の数字暗証番号の入力において、赤外線光電センサーにより入
力を実施するもので、それと同時に離心ファンの動作をトリガーする。2桁目の数字暗証
番号の入力において、同じように赤外線光電センサーにより入力を実施するもので、それ
と同時に指で感知通風口では（入気ファンによる）正圧気流、（吸気ファンによる）負圧
気流あるいは気流無しであるかを感じることで、１桁後の数字暗証番号の入力値を判定す
る。3桁目（および以降の他の桁）の暗証番号の入力において、前桁の暗証番号入力で通
風口に正圧気流が吹き出されたと感知した場合、入力される3桁目の数字暗証番号（およ
び以降の他の桁）の入力値は該桁数字暗証番号の所定値に１を加算したものと等しくなり
、前桁の暗証番号入力で通風口に気流が吹き出さなかったと感知した場合、入力される該
桁の暗証番号の入力値は該桁暗証番号の所定値となり、前桁の暗証番号入力で通風口に負
圧気流が存在したと感知した場合、入力される3桁目の数字暗証番号（および以降の他の
桁）の入力値は該桁数字暗証番号の所定値から１を減算したものと等しくなる。
【００１８】
3桁目以降の暗証番号の入力において、対応位置における感知通風口に気流（正圧気流と
負圧気流を含む）が存在する場合、気圧センサーと赤外線光電センサーの両方も信号を受
け取ったとなってから該桁の暗証番号の入力成功を認定する。該暗証番号入力器は非接触
式入力とするため、入力際に指で２個の赤外線光電センサーを同時にトリガーする可能性
が大きい。気圧センサーによって入力を確認することにより誤操作の確率を低減すること
ができる。また、気圧センサーの気圧検出端と通風穴の側壁に接続し連通する気圧センサ
ーの接続穴とが連通されるため、通風穴を気流が流れると、ベルヌーイ効果によって通風
穴の側壁に負圧が形成されるようになり、気圧センサーが気圧の減少を検出することによ
りどの位置における感知通風口を気流が流るか判断する。これにより、暗証番号入力器が
常規動作状態にあるか否か確認でき、入力暗証番号が所定規則に従って入力されたら、順
調に所定暗証番号と対照することを確保し、解錠を実現する。
【図面の簡単な説明】
【００１９】
【図１】従来技術における一般的なゲートシステムの構成ブロック図。
【図２】本発明における暗証番号入力器の構成模式図。
【図３】本発明における暗証番号入力器の分解構成模式図。
【図４】本発明における暗証番号入力器の分解構成模式図。
【図５】感知経路部分の構成模式図。
【図６】感知経路部分の構成模式図。
【図７】センサー取付部および配線板の一部組立構成模式図。
【図８】センサー取付部および配線板の一部構成模式図。
【図９】ケースおよびケース内に取付けられる各部品の断面構成模式図。
【図１０】ケース前側の構成模式図。
【図１１】ケース後側の構成模式図。
【図１２】通気パッドおよび通気パッドに接続される各部品の構成模式図。
【図１３】通気パッドおよび通気パッドに接続される各部品の構成模式図。
【図１４】通気パッドおよび通気パッドに接続される各部品の分解構成模式図。
【図１５】通気パッドおよび通気パッドに接続される各部品の分解構成模式図。
【発明を実施するための形態】
【００２０】
以下、図面を参考しながら本発明の具体的な実施の形態を詳細に説明する。
【実施例１】
【００２１】
図１から図４に示すように、本実施例にかかるゲートシステムであって、ドア開閉を制御
する電気錠と、室内側の壁に取付けられ、電気錠解錠を制御する退室ボタンと、室外側の
壁に取付けられ、電気錠解錠を制御する暗証番号入力器とを含み、前記電気錠、退室ボタ
ンおよび暗証番号入力器はそれぞれゲート制御器に電気的に接続される。
【００２２】
前記暗証番号入力器内に暗証番号入力器の前端面へ通じる１０個の感知経路が設置される
。１０個の感知経路はそれぞれ１０個の数字キー「０、１、２、３、４、５、６、７、８
、９」に対応する。
【００２３】
前記暗証番号入力器内に感知経路の後端へ気流を送入する入気ファン８ａ、および感知経
路の後端から気流を抽出する吸気ファン８ｂが設置される。前記入気ファンと吸気ファン
は離心ファンや軸流ファンとする。
【００２４】
前記暗証番号入力器内に一部の感知経路内における気流の流れを阻碍するスイッチング弁
片６、および前記スイッチング弁片を回転させるよう駆動することにより阻碍すべき感知
経路を変えるステッピングモータ６１が取り付けられる。
【００２５】
各前記感知経路内にそれぞれ感知経路の前端に指が近づくことを検出する赤外線光電セン
サー５２が設けられる。
【００２６】
前記暗証番号入力器内に１０個の気圧センサーが取付けられる。各気圧センサーは１個の
前記感知経路内における前端位置寄りの側壁に連通する。
【００２７】
前記ケース内に情報の入力を提示する発声器が取付けられる。前記発生器はブザーやスピ
ーカーとする。
【００２８】
暗証番号入力器による５〜８桁数の数字暗証番号の入力は下記の通りである。
１）数字暗証番号所定値の1桁目の数の対応する感知経路の前端に指が近づくと、該位置
の感知経路内における赤外線光電センサーが信号を検出し、発声器が声を発し、1桁目の
数字暗証番号の入力完成を提示する。これと同時に、入気ファンおよび吸気ファン中の一
つが動作を始める。
【００２９】
２）そして数字暗証番号所定値の2桁目の数の対応する感知経路の前端に指が近くと、該
位置感知経路内における赤外線光電センサーが信号を検出し、発声器が声を発し、2桁目
の数字暗証番号の入力完成を提示する。
【００３０】
３）3桁目の暗証番号の入力値は、数字暗証番号所定値と2桁目の暗証番号の入力時におけ
る対応する感知経路の状態によって決定される。
【００３１】
3.１）上記２）における感知経路の前端に気流が吹き出されたとなる場合、入力されよう
とする3桁目の数字暗証番号の入力値は3桁目の数字暗証番号の所定値に１を加算したもの
と等しくなる。ただし、3桁目の数字暗証番号の所定値が９とした場合、3桁目の暗証番号
の入力値は０とする。
3桁目の数字暗証番号の入力において、3桁目の暗証番号入力値の対応する感知経路に指が
近くと、該感知経路に連通する気圧センサーは気圧所定値に達するまで気圧が増大したこ
とを検出し、かつ該感知経路内における赤外線光電センサーは信号を検出し、発声器が声
を発し、3桁目の数字暗証番号の入力完成を提示する。
【００３２】
3.２）上記２）における感知経路の前端に気流が吹き出さなかったとなる場合、入力され
ようとする3桁目の数字暗証番号の入力値は3桁目の数字暗証番号の所定値と等しくなる。
3桁目の数字暗証番号の入力において、3桁目の暗証番号入力値の対応する感知経路に指が
近くと、該感知経路内における赤外線光電センサーは信号を検出し、発声器が声を発し、
3桁目の数字暗証番号の入力完成を提示する。
【００３３】
3.３）上記２）の感知経路の前端に前から後への負圧気流が存在したとなる場合、入力さ
れようとする3桁目の数字暗証番号の入力値は3桁目の数字暗証番号の所定値から１を減算
したものと等しくなる。ただし、3桁目の数字暗証番号の所定値が０とした場合、3桁目の
暗証番号の入力値は９とする。
3桁目の数字暗証番号の入力において、3桁目の暗証番号入力値の対応する感知経路に指が
近くと、該感知経路に連通する気圧センサーは気圧が負圧所定値より小さくなるまで減少
したことを検出し、かつ該感知経路内における赤外線光電センサーは信号を検出し、発声
器が声を発し、3桁目の数字暗証番号の入力完成を提示する。
【００３４】
４）以降桁の数字暗証番号入力値は、数字暗証番号所定値と前桁の暗証番号を入力した時
に対応する感知経路の状態によって決定される。その入力規則は上記３）と同じである。
【００３５】
正しい数字暗証番号が完全に入力された後、ゲート制御器によって電気錠解錠を制御する
。
【実施例２】
【００３６】
図１から図１５に示すように、本実施例は、実施例１における暗証番号入力器の構成に対
するさらなる詳細なデザインである。具体的には以下の通りである。
１〜３桁目の数字暗証番号を入力するたびに、ステッピングモータが角度ｐにて回転する
。ただし、角度ｐは３６°の整数倍であり、且つステッピングモータの回転角度は毎回異
なる。これによって、スイッチング弁片の位置を変えるたびに、それにつれて気流の流れ
がなかった感知経路がスイッチングされる。
【００３７】
前記暗証番号入力器はケース１、およびケースの前側に固定的に接続される前蓋２を含む
。
前記前蓋２全体はその開口を後方に向けて矩形溝体の形状を呈し、前記ケース外の前側壁
１０１と前蓋内の前側壁の間にセンサー取付部４が固定的に取付けられる。
前記前蓋２の前側壁に矩形配列で配布される感知通風口２２が成型される。前記前蓋の前
側壁における各感知通風口に対応する位置に各感知通風口の対応する数字暗証番号キーを
識別するための標識が設けられる。前記標識は、前蓋に一体成型される上凸または下凹の
アラビア数字としてもよく、数字を印刷してあるシールとしてもよい。
【００３８】
前記センサー取付部４に各感知通風口に対向して設置される通風穴４２が成型される。
【００３９】
前記ケース全体はその開口を後方に向けて矩形溝体の形状を呈し、前記ケース内の前側壁
面１０２に円周配列で配布される１０個の第一通気口１１ａが成型される。
前記ケース外の前側壁面に各第一通気口と各通風穴とを連通させる１０個の第一通気溝１
１が成型される。第一通気口の配列方式と通風穴の（感知通風口による）配列方式とが異
なり、それゆえに第一通気溝は図１０に示すように長短まちまちである形状を呈する。気
圧センサーの所定値設置が容易にできるようにするため、各感知通風口の出風における気
流速度を良好に一致させるよう、各第一通気溝の長度を接近させることが好ましい。
【００４０】
順次に連通する前記感知通風口、通風穴、第一通気溝および第一通気口は一つの前記感知
経路を構成する。
【００４１】
前記センサー取付部における各通風穴に対応する位置に通風穴の側壁に連通する気圧セン
サー接続穴４２１が成型される。前記気圧センサーはセンサー取付部内に取付けられ、各
気圧センサーの気圧検出端は各気圧センサーの接続穴に連通する。
【００４２】
通風穴を気流が流れ、且つ感知通風口が遮蔽されていない場合、感知経路の内壁にベルヌ
ーイ効果により負圧が生じ、気圧センサーが負圧（第一負圧所定値）を検出することによ
り、ゲート制御器はどの感知通風口らが気流を吹き出す状態にあるかを判断できるように
なる。通風穴を正圧気流が流れ、且つ感知通風口が遮蔽されている場合、気圧センサーが
圧力の増大（正圧所定値に達する）を検出する。通風穴を負圧気流が流れ、且つ感知通風
口が遮蔽されている場合、気圧センサーが負圧の絶対値増大（第二負圧所定値に達する）
を検出することにより、ゲート制御器はどの感知通風口らが遮蔽されるか（即ち数字暗証
番号を入力する）かを判断できるようになる。
上述した正圧所定値＞第一負圧所定値＞第二負圧所定値。
【００４３】
ゲート制御器によって気圧センサーの所定圧力値（測定圧力値は正圧所定値より大きく、
または第二負圧所定値の所定圧力値より小さくなる時に、その対応位置に入力信号が存在
すると認定する）または／および入気ファンおよび吸気ファンのパワー（気流速度）を調
整することにより、感知通風口と近づく指の間の距離は１０ｍｍより小さくなると、ゲー
ト制御器は入力信号を受け取り得るように構成される。
【００４４】
特筆すべきのは、一桁の数字暗証番号を入力したら、操作指を手前側に戻らせることが好
ましく、誤入力を防止する。
【００４５】
前記赤外線光電センサーは各通風穴内に取り付けられ、且つ赤外線光電センサーは感知経
路の前端に向かって構成される。
【００４６】
前記センサー取付部の後端における各行の通風穴の下方に配線板取付溝４１が成型される
。配線板取付溝内に配線板が取付けられ、各前記気圧センサーが配線板に電気的に接続さ
れる。前記配線板の後端とケース外の前端面が貼合される。配線板に半田付けポイントが
あるため、配線板の表面は平滑面ではないので、配線板とケース外の前端面およびセンサ
ー取付部との間に密封ゴムが充填されてもよく、これによって気流が配線板とケース外前
端面およびセンサー取付部の間の隙間から漏出し、使用機能に悪影響を与えることを防ぐ
。
【００４７】
前記配線板における各通風穴に対応する位置に通風穴へ延伸する光電センサー取付板５０
１が成型される。光電センサー取付板の端部および両側と通風穴の間に弧形の通気隙間９
１が形成される。前記赤外線光電センサーが光電センサー取付板に電気的に接続され且つ
通風穴の中心位置に位置される。一般的に、赤外線光電センサーは一つの発射管と一つの
受取管を含むもので、上述した赤外線光電センサー（およびその位置）はともに発射管と
受取管の全体を含むものを意味する。センサー取付部の後端における配線板取付溝と通風
穴の間に前記光電センサー取付板を収納する光電センサー取付部４１１が成型される。
【００４８】
各前記気圧センサーおよび赤外線光電センサーは、配線板に半田付けられてから、ワイヤ
を介してゲート制御器に電気的に接続される。前記センサー取付部内にワイヤを通すため
の配線経路が成型される。
【００４９】
各前記赤外線光電センサー、気圧センサー、入気ファン、吸気ファンおよびステッピング
モータはそれぞれゲート制御器に電気的に接続される。ゲート制御器、赤外線光電センサ
ー、気圧センサー、入気ファン等はともに従来技術における通常用いられる素子である部
品である。本発明の重点は、各部品を巧みに配合し利用して覗き見防止機能を実現するこ
とにあり、これら電気部品そのものに対し創造的な改造をしなく、必要によって当業者が
容易に実現できるものであって、その具体的な回路やプログラマ等の詳細な説明を略する
。
【００５０】
前記ケース内の前側上部に通気パッド７が固定的に接続され、通気パッドの前側に各第一
通気口に接続される通気チャンパー７１が成型される。
【００５１】
前記ケース内の前側壁面の上部に一つの円溝形の凹口１５が成型される。各前記第一通気
口が前記凹口の範囲に位置し、且つ各第一通気口が存在する円周と凹口とが同心をなす。
前記スイッチング弁片が凹口の範囲内に位置し、且つスイッチング弁片６に同等数の第一
通気口に連通することができる６〜９個の貫通穴６０１が成型される。
【００５２】
前記ステッピングモータは通気パッドの後側に固定的に接続され、且つステッピングモー
タの出力軸とスイッチング弁片とが同軸に接続される。
【００５３】
前記入気ファンおよび吸気ファンがケース内における通気パッドの下端に取り付けられる
。前記通気パッドにおける通気チャンパーの下端に入気ファンの出口端に連通する下入気
口７２、および吸気ファンの入口端に連通する下吸気口７４が成型される。
【００５４】
前記通気パッドの下部前側に弁片取付溝７６が成型され、弁片取付溝内に前記下入気口ま
たは下吸気口を選択的に遮蔽するスライド弁片７３がスライド可能に取付けられる。前記
弁片取付溝の開口がケース側に向かって構成される。通気パッドとケースを互いに固定す
ると、弁片はスライドされば弁片取付溝内に制限されるようになり、脱出できなくなる。
【００５５】
前記スライド弁片７３にスライド方向に沿って等距離にて複数の被動磁石７３１が固定的
に取付けられる。
【００５６】
前記通気チャンパー内にステッピングモータにより駆動される一つの被動歯車６２が回転
可能に取付けられる。前記被動歯車に周方向に等角度にて、スライド弁片を駆動して左ま
たは右に向かって移動させる複数の駆動磁石６２１が取付けられる。
【００５７】
前記スイッチング弁片全体は円形ディスク状を呈し、スイッチング弁片の後端に駆動歯車
部６０２が成型され、前記被動歯車と駆動歯車部が噛合され伝動的に接続される。
【００５８】
前記通気パッドに、水平に設置されかつ被動歯車と伝動的に接続される歯車取付軸７５が
成型される。
【００５９】
前記被動歯車の後端に前記駆動磁石を取り付ける磁石取付アーム６２２が成型される。
【００６０】
前記ステッピングモータの毎回回転の角度は３６×ｔとし、ｔはゲート制御器により生じ
る擬似乱数であり、且つｔは５〜１６の範囲内の整数である。
【００６１】
前記磁石取付アーム（および駆動磁石）の設置密度が小さく、これにより磁石取付アーム
が通気チャンパー内の気流の流れに大きな影響を与えないようにできる。スライド弁片の
位置をスイッチングする時に、ステッピングモータを駆動して大きい角度で回転させるこ
とにより、スライド弁片を所定位置までスイッチングすることができる。例えば一般的な
場合では、ステッピングモータが１０８°（３６×３）回転すればスライド弁片のスイッ
チングが完成できるが、スライド弁片のスイッチングミスがないように、ステッピングモ
ータの毎回回転角度を少なくとも回転１８０°（３６×５）とする。
【００６２】
特筆すべきのは、スイッチング弁片が回転し、かつ気流の流れ方向が変化しない場合、ス
テッピングモータの回転方向は前回の回転方向に続いて回転する。一方、スイッチング弁
片が回転し、且つ気流の流れ方向も変化する場合、ステッピングモータの回転方向は前回
の回転方向と反対となる。
【００６３】
前記前蓋の前側壁に長尺状の入出風穴２１が均一に成型される。前記ケースの下部に前記
入出風穴と入気ファンの入口端とを連通させる入気経路１３が成型される。前記ケースの
下部に前記入出風穴と吸気ファンの出口端とを連通させる出気経路１４が成型される。
【００６４】
前記ケースの後側に後蓋３が接続される。前記センサー取付部、ケース、通気パッドおよ
び後蓋はボルトにより固定的に接続される。前記前蓋の側面がネジによりケースの側面に
接続される。
【００６５】
以下、例を挙げて本発明の動作原理をさらに説明する。
暗証番号を１２３７６５とする。該スイッチング弁片の位置によって数字１、２、５、６
、９、０の対応する感知通風口と通気チャンパーとを連通させ、数字３、４、７、８の対
応する感知通風口と通気チャンパーとを連通させない。そして、３桁の数字暗証番号を入
力すると、ステッピングモータが前回と反対方向に３６０°回転する（即ち、通気チャン
パーに連通する感知通風口は改変されない）。ステッピングモータが反転する前は、入気
ファンが動作するが、ステッピングモータが反転する後は、吸気ファンが動作しない。
【００６６】
暗証番号入力器により電気錠を解錠する際に、数字１の対応する感知通風口に指を近づか
せると、ブザーが一声鳴らし、1桁目の暗証番号の入力完成を提示する。これと同時に、
入気ファンが作動を起動する。
そして、数字２の対応する感知通風口に指を近づかせると、ブザーが一声鳴らし、2桁目
の暗証番号の入力完成を提示する。
そして、数字２の対応する感知通風口に気流が吹き出されたとなるため、数字４（３＋１
）の対応する感知通風口に指を近づかせると、ブザーが一声鳴らし、3桁目の暗証番号の
入力完成を提示する。
そして、数字４の対応する感知通風口に気流が吹き出されなかったとなるため、数字７の
対応する感知通風口に指を近づかせると、ブザーが一声鳴らし、４桁目の暗証番号の入力
完成を提示する。
そして、数字７の対応する感知通風口に気流が吹き出されなかったとなるため、数字６の
対応する感知通風口に指を近づかせると、ブザーが一声鳴らし、７桁目の暗証番号の入力
完成を提示する。
そして、数字６の対応する感知通風口に負圧気流が存在するとなるため、再び数字４（５
−１）の対応する感知通風口に指を近づかせると、ブザーが一声鳴らし、６桁目の暗証番
号の入力完成を提示する。
【００６７】
これによれば、この場合、所定暗証番号は１２３７６５であり、実際に入力された暗証番
号は１２４７６４となる。
【００６８】
電気錠を解錠した後は、ステッピングモータによりスイッチング弁片を制御して同じ方向
に続いて２８８°（３６×８）回転したとする。これによって、数字２、３、６、７、０
、１の対応する感知通風口と通気チャンパーとを連通させ、数字４、５、８、９の対応す
る感知通風口と通気チャンパーとを連通させない（どの感知通風口らが出気となるのが第
一通気溝の配列、スイッチング弁片通穴の位置、およびステッピングモータ回転の角度に
より決定される。ここで所記の数値は、容易に理解させるためのものとし、図面に示され
る構成とは厳しく一致しない）。そして、３桁の数字暗証番号を入力すると、ステッピン
グモータが前回と反対方向に３６０°回転する（即ち、通気チャンパーに連通する感知通
風口は改変されない）。ステッピングモータが反転する前は、吸気ファンが動作するが、
ステッピングモータが反転する後は、入気ファンが動作しない。
【００６９】
再び暗証番号入力器により電気錠を解錠する際に、数字１の対応する感知通風口に指を近
づかせると、ブザーが一声鳴らし、1桁目の暗証番号の入力完成を提示する。これと同時
に入気ファンが動作を起動する。
そして、数字２の対応する感知通風口に指を近づかせると、ブザーが一声鳴らし、2桁目
の暗証番号の入力完成を提示する。
そして、数字２の対応する感知通風口に負圧気流が存在したとなるため、数字２（３−１
）の対応する感知通風口に指を近づかせると、ブザーが一声鳴らし、3桁目の暗証番号の
入力完成を提示する。
そして、数字２の対応する感知通風口に正圧気流が存在したとなるため、数字８（７＋１
）の対応する感知通風口に指を近づかせると、ブザーが一声鳴らし、４桁目の暗証番号の
入力完成を提示する。
そして、数字８の対応する感知通風口に気流がなかったとなるため、再び数字６の対応す
る感知通風口に指を近づかせると、ブザーが一声鳴らし、５桁目の暗証番号の入力完成を
提示する。
そして、数字６の対応する感知通風口に正圧気流が吹き出されたとなるため、再び数字６
（５＋１）の対応する感知通風口に指を近づかせると、ブザーが一声鳴らし、６桁目の暗
証番号の入力完成を提示する。
【００７０】
これによれば、この場合は、暗証番号を１２３７６５とし、実際に入力された暗証番号は
１２２８６６となる。
【００７１】
以上の例からわかるように、ある所定暗証番号は、異なる解錠操作において、入力される
具体的な値が異なる。このように構成されると、ユーザの暗証番号入力過程を周りの人が
意図的に覗くとしても、ユーザの所定暗証番号を知られてしまうことにならなく、高安全
レベルを達する。
【００７２】
特筆すべきのは、前記感知通風口から吹出または吸入の気流の速度がユーザの指が近くと
はっきりとした音が発生しないように構成されなければならない。
【００７３】
本発明のゲートシステムの暗証番号入力器は、2種類の手段、すなわち赤外線光電センサ
ーおよび気流配合気圧センサーにより非接触式の暗証番号入力操作を実現し、且つ感知通
風口における気流の有無、および気流の流れ方向によって入力される暗証番号を動態に調
整し、同一の所定暗証番号が毎回入力されるときにおいて入力値が異なるようにでき、悪
意な覗き見による暗証番号漏洩を効果的に防止でき、操作の難しさを著しく向上させない
上に、暗証番号入力器の安全レベルを向上する。
【００７４】
具体的には、前記暗証番号入力器は以下のように構成される。待機状態において、入気フ
ァンが動作しない。1桁目の数字暗証番号の入力において、赤外線光電センサーにより入
力を実施するもので、それと同時に離心ファンの動作をトリガーする。2桁目の数字暗証
番号の入力において、同じように赤外線光電センサーにより入力を実施するもので、それ
と同時に指で感知通風口では（入気ファンによる）正圧気流、（吸気ファンによる）負圧
気流あるいは気流無しであるかを感じることで、１桁後の数字暗証番号の入力値を判定す
る。3桁目（および以降の他の桁）の暗証番号の入力において、前桁の暗証番号入力で通
風口に正圧気流が吹き出されたと感知した場合、入力される3桁目の数字暗証番号（およ
び以降の他の桁）の入力値は該桁数字暗証番号の所定値に１を加算したものと等しくなり
、前桁の暗証番号入力で通風口に気流が吹き出さなかったと感知した場合、入力される該
桁の暗証番号の入力値は該桁暗証番号の所定値となり、前桁の暗証番号入力で通風口に負
圧気流が存在したと感知した場合、入力される3桁目の数字暗証番号（および以降の他の
桁）の入力値は該桁数字暗証番号の所定値から１を減算したものと等しくなる。
【００７５】
3桁目以降の暗証番号の入力において、対応位置における感知通風口に気流（正圧気流と
負圧気流を含む）が存在する場合、気圧センサーと赤外線光電センサーの両方も信号を受
け取ったとなってから該桁の暗証番号の入力成功を認定する。該暗証番号入力器は非接触
式入力とするため、入力際に指で２個の赤外線光電センサーを同時にトリガーする可能性
が大きい。気圧センサーによって入力を確認することにより誤操作の確率を低減すること
ができる。また、気圧センサーの気圧検出端と通風穴の側壁に接続し連通する気圧センサ
ーの接続穴とが連通されるため、通風穴を気流が流れると、ベルヌーイ効果によって通風
穴の側壁に負圧が形成されるようになり、気圧センサーが気圧の減少を検出することによ
りどの位置における感知通風口を気流が流るか判断する。これにより、暗証番号入力器が
常規動作状態にあるか否か確認でき、入力暗証番号が所定規則に従って入力されたら、順
調に所定暗証番号と対照することを確保し、解錠を実現する。
【００７６】
前記ケース内の前側壁における第一通気口の下方に通気チャンパーに連通する３個の第二
通気口１２ａが成型される。前記ケース外の前側壁に各第二通気口にそれぞれ連通する３
個の第二通気溝１２が成型される。３個の第二通気溝はそれぞれ「＊」キー、「＃」キー
およびベルキーに対応する。相応的に、センサー取付部に３個の通風穴が設けられ、３個
の感知経路を形成する。また、該３個の推しキーの感知経路内に赤外線光電センサーまた
は気圧センサーの何れか一つを取り付けてもよく、両方ともを取り付けてもよい。
【００７７】
「＊」キーは所定暗証番号を入力する時に用いられるものとすればよく、「＃」キーは暗
証番号入力が誤ったと分かった時にゼロクリア操作に用いられ、繰り返して正しい暗証番
号を入力するものとすればよい。いずれも本分野の従来技術であり、詳しく紹介しない。
【実施例３】
【００７８】
本実施例は、実施例１または２に対して以下の改造をしたものである。前記ゲート制御器
はモニタカメラに接続される。前記暗証番号入力器がモニタカメラのモニタ領域内に位置
される。モニタ領域内における人数が１より大きいとモニタカメラが撮取した場合、実施
例２の形態に従って暗証番号を入力することにする。モニタ領域内における人数が１と等
しいとモニタカメラが撮取した場合、入力暗証番号は所定暗証番号に一致するものとし、
1桁目の暗証番号を入力してから、入気ファンと吸気ファンは何れも起動しない。
【００７９】
前記暗証番号入力器内に音声提示モジュールが取付けられてもよい。モニタ領域内におけ
る人数が１より大きいとモニタカメラが撮取した場合、「動態な暗証番号を入力してくだ
さい。」を提示する。モニタ領域内における人数が１と等しいとモニタカメラが撮取した
場合、「所定暗証番号を入力してください。」を提示する。
【００８０】
本実施例の改造によって、暗証番号の覗き見の恐れがない場合、所定暗証番号により電気
錠を解錠することができ、暗証番号の入力方式を簡単化し、覗き見の恐れがある場合、実
施例１または２にかかる高安全性の入力方式を使用する。
【符号の説明】
【００８１】
１  ケース
１１  第一通気溝
１１ａ  第一通気口
１２  第二通気溝
１２ａ  第二通気口
１３  入気経路
１４  出気経路
１５  凹口
２  前蓋  
２１  入出風穴
２２  感知通風口  
３  後蓋
４  センサー取付部  
４１  配線板取付溝  
４１１  光電センサー取付部  
４２  通風穴  
４２１  気圧センサー接続穴
５  配線板  
５０１  光電センサー取付板  
５１  気圧センサー  
５２  赤外線光電センサー
６  スイッチング弁片  
６０１  貫通穴  
６０２  駆動歯車部  
６１  ステッピングモータ  
６２  被動歯車  
６２１  駆動磁石  
６２２  磁石取付アーム
７  通気パッド  
７１  通気チャンパー
７２  下入気口  
７３  スライド弁片  
７３１  被動磁石  
７４  下吸気口  
７５  歯車取付軸  
７６  弁片取付溝
８ａ  入気ファン  
８ｂ  吸気ファン
【手続補正２】
【補正対象書類名】特許請求の範囲
【補正対象項目名】全文
【補正方法】変更
【補正の内容】
【特許請求の範囲】
【請求項１】
ゲートシステムであって、ドア開閉を制御する電気錠と、室内側の壁に取付けられ、電気
錠解錠を制御する退室ボタンと、室外側の壁に取付けられ、電気錠解錠を制御する暗証番
号入力器とを含み、前記電気錠、退室ボタンおよび暗証番号入力器はそれぞれゲート制御
器に電気的に接続されるゲートシステムであって、
前記暗証番号入力器内に暗証番号入力器の前端面へ通じる１０個の感知経路が設置され、
前記１０個の感知経路はそれぞれ１０個の数字キー「０、１、２、３、４、５、６、７、
８、９」に対応しており、
前記暗証番号入力器内に前記感知経路の後端へ気流を送入する入気ファン、および前記感
知経路の後端から気流を抽出する吸気ファンが設置されており、
前記暗証番号入力器内に一部の前記感知経路内における気流の流れを阻碍するスイッチン
グ弁片、および前記スイッチング弁片を回転させるよう駆動することにより阻碍すべき前
記感知経路を変えるステッピングモータが取り付けられており、
各前記感知経路内にそれぞれ感知経路の前端に指が近づくことを検出する赤外線光電セン
サーが設けられており、
前記暗証番号入力器内に１０個の気圧センサーが取付けられ、各気圧センサーは１個の前
記感知経路内における前端位置寄りの側壁に連通しており、
前記ケース内に情報の入力を提示する発声器が取付けられており、
前記暗証番号入力器による５桁数以上の数字暗証番号の入力が下記の手段に基づくように
構成されており、
１）数字暗証番号所定値の1桁目の数の対応する前記感知経路の前端に指が近づくと、該
位置の感知経路内における赤外線光電センサーが信号を検出し、発声器が声を発し、1桁
目の数字暗証番号の入力完成を提示し、これと同時に入気ファンおよび吸気ファン中の一
つが動作を始める；
２）数字暗証番号所定値の2桁目の数の対応する前記感知経路の前端に指が近くと、該位
置感知経路内における赤外線光電センサーが信号を検出し、発声器が声を発し、2桁目の
数字暗証番号の入力完成を提示する；
３）3桁目の暗証番号の入力値は、数字暗証番号所定値と2桁目の暗証番号の入力時におけ
る対応する感知経路の状態によって決定される；
3.１）上記２）における感知経路の前端に気流が吹き出されたとなる場合、入力されよう
とする3桁目の数字暗証番号の入力値は3桁目の数字暗証番号の所定値に１を加算したもの
と等しくなり、この場合、3桁目の数字暗証番号の所定値が９とした場合、3桁目の暗証番
号の入力値は０とする；
3桁目の数字暗証番号の入力において、3桁目の暗証番号入力値の対応する感知経路に指が
近くと、該感知経路に連通する気圧センサーは気圧所定値に達するまで気圧が増大したこ
とを検出し、かつ該感知経路内における赤外線光電センサーは信号を検出し、発声器が声
を発し、3桁目の数字暗証番号の入力完成を提示する；
3.２）上記２）における感知経路の前端に気流が吹き出さなかったとなる場合、入力され
ようとする3桁目の数字暗証番号の入力値は3桁目の数字暗証番号の所定値と等しくなる；
3桁目の数字暗証番号の入力において、3桁目の暗証番号入力値の対応する感知経路に指が
近くと、該感知経路内における赤外線光電センサーは信号を検出し、発声器が声を発し、
3桁目の数字暗証番号の入力完成を提示する；
3.３）上記２）の感知経路の前端に前から後への負圧気流が存在したとなる場合、入力さ
れようとする3桁目の数字暗証番号の入力値は3桁目の数字暗証番号の所定値から１を減算
したものと等しくなり、この場合、3桁目の数字暗証番号の所定値が０とした場合、3桁目
の暗証番号の入力値は９とする；
3桁目の数字暗証番号の入力において、3桁目の暗証番号入力値の対応する感知経路に指が
近くと、該感知経路に連通する気圧センサーは気圧が負圧所定値より小さくなるまで減少
したことを検出し、かつ該感知経路内における赤外線光電センサーは信号を検出し、発声
器が声を発し、3桁目の数字暗証番号の入力完成を提示する；および
４）以降桁の数字暗証番号入力値は、数字暗証番号所定値と前桁の暗証番号を入力した時
に対応する感知経路の状態によって決定され、その入力規則は上記３）と同じであり、
正しい数字暗証番号が完全に入力された後、ゲート制御器によって電気錠解錠を制御する
ようにできる、
ことを特徴とする前記ゲートシステム。
【請求項２】
請求項１に記載のゲートシステムであって、１〜３桁目の数字暗証番号を入力するたびに
、ステッピングモータが角度ｐにて回転するように構成されており、ただし、角度ｐは３
６°の整数倍であり、且つステッピングモータの回転角度は毎回異なることを特徴とする
前記ゲートシステム。
【請求項３】
請求項１に記載のゲートシステムであって、前記暗証番号入力器は、ケース、および前記
ケースの前側に固定的に接続される前蓋を含み、
前記前蓋全体はその開口を後方に向けて矩形溝体の形状を呈し、前記ケース外の前側壁と
前蓋内の前側壁の間にセンサー取付部が固定的に取付けられており、
前記前蓋の前側壁に矩形配列で配布される感知通風口が成型され、前記前蓋の前側壁にお
ける各感知通風口に対応する位置に各感知通風口の対応する数字暗証番号キーを識別する
ための標識が設けられており、
前記センサー取付部に各感知通風口に対向して設置される通風穴が成型されており、
前記ケース全体はその開口を後方に向けて矩形溝体の形状を呈し、前記ケース内の前側壁
面に円周配列で配布される１０個の第一通気口が成型されており、
前記ケース外の前側壁面に各第一通気口と各通風穴とを連通させる１０個の第一通気溝が
成型されており、
順次に連通する前記感知通風口、通風穴、第一通気溝および第一通気口は一つの前記感知
経路を構成しており、
前記センサー取付部における各通風穴に対応する位置に通風穴の側壁に連通する気圧セン
サー接続穴が成型されており、前記気圧センサーはセンサー取付部内に取付けられ、各気
圧センサーの気圧検出端は各気圧センサーの接続穴に連通しており、
前記赤外線光電センサーは各通風穴内に取付けられ、且つ赤外線光電センサーは感知経路
の前端に向かって構成される、
ことを特徴とする前記ゲートシステム。
【請求項４】
請求項１に記載のゲートシステムであって、前記センサー取付部の後端における各行の通
風穴の下方または上方に配線板取付溝が成型され、配線板取付溝内に配線板が取付けられ
、各前記気圧センサーが配線板に電気的に接続されており、前記配線板の後端とケース外
の前端面が貼合されており、
前記配線板における各通風穴に対応する位置に通風穴へ延伸する光電センサー取付板が成
型され、光電センサー取付板の端部および両側と通風穴の間に弧形の通気隙間が形成され
、前記赤外線光電センサーが光電センサー取付板に電気的に接続され且つ通風穴の中心位
置に位置されており、
各前記赤外線光電センサー、気圧センサー、入気ファン、吸気ファンおよびステッピング
モータはそれぞれゲート制御器に電気的に接続されている、
ことを特徴とする前記ゲートシステム。
【請求項５】
請求項３または４に記載のゲートシステムであって、前記ケース内の前側上部に通気パッ
ドが固定的に接続され、通気パッドの前側に各第一通気口に接続される通気チャンパーが
成型されており、
前記ケース内の前側壁面の上部に一つの円溝形の凹口が成型され、各前記第一通気口が前
記凹口の範囲に位置し、且つ各第一通気口が存在する円周と凹口とが同心をなしており、
前記スイッチング弁片が凹口の範囲内に位置し、且つスイッチング弁片に同等数の第一通
気口に同時に連通することができる６〜９個の貫通穴６０１が成型されており、
前記ステッピングモータは通気パッドの後側に固定的に接続され、且つステッピングモー
タの出力軸とスイッチング弁片とが同軸に接続されており、
前記入気ファンおよび吸気ファンがケース内における通気パッドの下端に取り付けられて
おり、前記通気パッドにおける通気チャンパーの下端に入気ファンの出口端に連通する下
入気口、および吸気ファンの入口端に連通する下吸気口が成型されており、
前記通気パッドの下部前側に弁片取付溝が成型され、弁片取付溝内に前記下入気口または
下吸気口を選択的に遮蔽するスライド弁片がスライド可能に取付けられており、
前記スライド弁片にスライド方向に沿って等距離にて複数の被動磁石が固定的に取付けら
れており、
前記通気チャンパー内にステッピングモータにより駆動される一つの被動歯車が回転可能
に取付けられ、前記被動歯車に周方向に等角度にて、スライド弁片を駆動して左または右
に向かって移動させる複数の駆動磁石が取付けられている、
ことを特徴とする前記ゲートシステム。
【請求項６】
請求項５に記載のゲートシステムであって、前記スイッチング弁片の後端に駆動歯車部が
成型され、前記被動歯車と駆動歯車部が噛合され伝動的に接続されており、
前記通気パッドまたはケースに被動歯車と伝動的に接続される歯車取付軸が成型されてお
り、
前記被動歯車の後端に前記駆動磁石を取り付ける磁石取付アームが成型されている、
ことを特徴とする前記ゲートシステム。
【請求項７】
請求項２に記載のゲートシステムであって、前記前蓋の前側壁に長尺状の入出風穴が均一
に成型され、前記ケースの下部に前記入出風穴と入気ファンの入口端とを連通させる入気
経路が成型され、前記ケースの下部に前記入出風穴と吸気ファンの出口端とを連通させる
出気経路が成型されていることを特徴とする前記ゲートシステム。
【請求項８】
請求項１に記載のゲートシステムであって、前記ステッピングモータの毎回回転の角度は
３６×ｔとし、ｔはゲート制御器により生じる擬似乱数であり、且つｔは５〜１６の範囲
内の整数であることを特徴とする前記ゲートシステム。
【請求項９】
請求項１に記載のゲートシステムであって、前記ケースの後側に後蓋が接続され、前記セ
ンサー取付部、ケース、通気パッドおよび後蓋はボルトにより固定的に接続されることを
特徴とする前記ゲートシステム。